(57)【要約】【課題】  様々な条件でグループ化したコンテンツグループを、関連性を持たせて一覧表示する。【解決手段】  コンテンツをグループ化したコンテンツグループをアイコンとして表示する際に、コンテンツグループのアイコンを任意のカテゴリの順序条件に従って第１の方向に並べたコンテンツグループのアイコン配列を複数列生成する。そして、基準となるコンテンツと同じコンテンツを含む他のアイコン配列のコンテンツグループのアイコンを第１の方向と異なる第２の方向に並ぶように表示する。【選択図】      図４
2008152584.tif 000002
【特許請求の範囲】
【請求項１】
複数のコンテンツを、複数のグループ化条件でそれぞれグループ化して並べた複数のコンテンツグループ配列から、それぞれの配列に対応する、各配列の少なくとも一部のコンテンツグループに対応するコンテンツグループアイコンの配列をそれぞれ生成し、該複数のコンテンツグループアイコンの配列に基づいて表示画面を生成する表示画像制御装置であって、
前記複数のコンテンツグループアイコンの配列各々に対応するコンテンツグループアイコンをそれぞれ第１の方向に並べて表示するための表示画面を生成する表示画面生成手段を有し、
前記表示画面生成手段は、前記複数のコンテンツのうち１つのコンテンツを基準コンテンツとし、前記複数のコンテンツグループアイコン配列各々における基準コンテンツを含むコンテンツグループに対応するグループアイコンの位置が第２の方向に並ぶよう表示画面を生成することを特徴とする表示画像制御装置。
【請求項２】
前記表示画面生成手段は、前記基準となるコンテンツを含むコンテンツグループのコンテンツグループアイコンを、その他のコンテンツグループアイコンと外観上区別できるように表示画面を生成することを特徴とする請求項１に記載の表示画像制御装置。
【請求項３】
前記表示画面生成手段は、基準となるコンテンツグループアイコン配列が存在し、前記基準となるコンテンツグループアイコン配列を、その他のコンテンツグループアイコン配列と外観上区別できるように表示画面を生成することを特徴とする請求項１に記載の表示画像制御装置。
【請求項４】
前記表示画面生成手段は、基準となるコンテンツグループアイコン配列が存在し、前記基準となるコンテンツグループアイコン配列内の前記基準となるコンテンツを含むコンテンツグループのコンテンツグループアイコンを、その他のコンテンツグループアイコン配列内の前記基準となるコンテンツを含むコンテンツグループのコンテンツグループアイコンと外観上区別できるように表示画面を生成することを特徴とする請求項１に記載の表示画像制御装置。
【請求項５】
前記表示画面生成手段は、前記コンテンツグループを代表するコンテンツを示すコンテンツグループアイコン内の画像を、コンテンツグループ内の他のコンテンツを示すコンテンツグループアイコン内の画像と外観上区別できるように表示画面の画像データを生成し、前記基準となるコンテンツを含むコンテンツグループにおいては、コンテンツグループを代表するコンテンツを前記基準コンテンツになるように設定することを特徴とする請求項１に記載の表示画像制御装置。
【請求項６】
前記第２の方向は基準アイコン以外は非表示であることを特徴とする請求項１に記載の表示画像制御装置。
【請求項７】
動画を含む複数のコンテンツを、複数の順序条件でそれぞれ並べた複数のコンテンツ配列の、それぞれの配列に対応する、各配列の少なくとも一部のコンテンツに対応するコンテンツアイコンの配列をそれぞれ生成し、該複数のコンテンツアイコンの配列に基づいて表示画面を生成する表示画像制御装置であって、
前記コンテンツアイコンが動画を示す場合、複数のフレームアイコンから構成され、前記コンテンツアイコンの複数の配列各々に対応するコンテンツアイコンをそれぞれ第１の方向に並べて表示するための表示画面を生成する表示画面生成手段を有し、
前記表示画面生成手段は、任意の前記配列の前記アイコン及び前記フレームアイコンのうち一つを基準アイコンとし、他の配列の前記基準アイコンと対応するコンテンツを示すアイコンが第２の方向に並ぶよう前記表示画面を生成することを特徴とする表示画像制御装置。
【請求項８】
前記表示画面生成手段は、前記基準アイコンを外観上区別できるように表示画面を生成することを特徴とする請求項７に記載の表示画像制御装置。
【請求項９】
前記コンテンツアイコンへの処理は、少なくとも再生、削除、プレイリストに追加の何れかの処理であることを特徴とする請求項７に記載の表示画像制御装置。
【請求項１０】
前記コンテンツアイコンへの処理は、前記動画コンテンツ内の選択された前後の範囲に対して行われることを特徴とする請求項７に記載の表示画像制御装置。
【請求項１１】
複数のコンテンツにそれぞれ対応付けられた複数のコンテンツアイコンを表示するコンテンツ表示装置であって、
前記コンテンツアイコンを任意の順序に従って第１の方向に並べてアイコン配列として表示する第１の表示手段と、
前記アイコン配列のうちの基準となるコンテンツに対応付けられたコンテンツアイコンの複製イメージを生成し、該複製イメージを前記第１の方向と異なる第２の方向に沿って移動させ、前記複製イメージを中心にコンテンツアイコンを前記第１の方向に沿って外側へ順次配置させてアイコン配列を生成する様子を表示する第２の表示手段とを有することを特徴とするコンテンツ表示装置。
【請求項１２】
前記第１の表示手段は、前記基準となるコンテンツアイコンをユーザが外観上識別可能に表示することを特徴とする請求項１１に記載のコンテンツ表示装置。
【請求項１３】
前記第１及び第２の表示手段は、前記基準となるコンテンツアイコンを含むコンテンツグループのアイコン配列を表示することを特徴とする請求項１１に記載のコンテンツ表示装置。
【請求項１４】
複数のコンテンツを、複数のグループ化条件でそれぞれグループ化して並べた複数のコンテンツグループ配列から、それぞれの配列に対応する、各配列の少なくとも一部のコンテンツグループに対応するコンテンツグループアイコンの配列をそれぞれ生成し、該複数のコンテンツグループアイコンの配列に基づいて表示画面を生成する表示画像制御装置の表示方法であって、
前記複数のコンテンツグループアイコンの配列各々に対応するコンテンツグループアイコンをそれぞれ第１の方向に並べて表示するための表示画面を生成する表示画面生成工程を有し、
前記表示画面生成工程は、前記複数のコンテンツのうち１つのコンテンツを基準コンテンツとし、前記複数のコンテンツグループアイコン配列各々における基準コンテンツを含むコンテンツグループに対応するグループアイコンの位置が第２の方向に並ぶよう表示画面を生成することを特徴とする表示画像制御装置の表示方法。
【請求項１５】
動画を含む複数のコンテンツを、複数の順序条件でそれぞれ並べた複数のコンテンツ配列の、それぞれの配列に対応する、各配列の少なくとも一部のコンテンツに対応するコンテンツアイコンの配列をそれぞれ生成し、該複数のコンテンツアイコンの配列に基づいて表示画面を生成する表示画像制御装置の表示方法であって、
前記コンテンツアイコンが動画を示す場合、複数のフレームアイコンから構成され、前記コンテンツアイコンの複数の配列各々に対応するコンテンツアイコンをそれぞれ第１の方向に並べて表示するための表示画面を生成する表示画面生成工程を有し、
前記表示画面生成工程は、任意の前記配列の前記アイコン及び前記フレームアイコンのうち一つを基準アイコンとし、他の配列の前記基準アイコンと対応するコンテンツを示すアイコンが第２の方向に並ぶよう前記表示画面を生成することを特徴とする表示画像制御装置の表示方法。
【請求項１６】
複数のコンテンツにそれぞれ対応付けられた複数のコンテンツアイコンを表示するコンテンツ表示装置の表示方法であって、
前記コンテンツアイコンを任意の順序に従って第１の方向に並べてアイコン配列として表示する第１の表示工程と、
前記アイコン配列のうちの基準となるコンテンツに対応付けられたコンテンツアイコンの複製イメージを生成し、該複製イメージを前記第１の方向と異なる第２の方向に沿って移動させ、前記複製イメージを中心にコンテンツアイコンを前記第１の方向に沿って外側へ順次配置させてアイコン配列を生成する様子を表示する第２の表示工程とを有することを特徴とするコンテンツ表示装置の表示方法。
【発明の詳細な説明】
【技術分野】
【０００１】
本発明は、複数のコンテンツを処理又は表示する技術に関するものである。
【背景技術】
【０００２】
近年、パーソナルコンピュータ（ＰＣ）や専用蓄積装置以外にも、撮影したコンテンツを蓄積する蓄積機能を備えたカメラや放送コンテンツを蓄積するディスクレコーダなどがある。そして、これらのデバイスに蓄積されたコンテンツを一覧表示する表示装置も存在する。また、表示装置には、全てのコンテンツのリストをコンテンツ名といったテキストでリスト表示するものがある。
【０００３】
また、近年ではコンテンツのサムネイル、特徴部の一部再生といったコンテンツの概要を画像又は映像などで明示的に表示したリストにより一覧表示する方法も行われている。この一覧表示では、複数のコンテンツを日付順やファイル名順といった様々な順序で表示することにより、コンテンツの概要を分かり易く見せると共に、コンテンツを探す上で有効な表示方法となっている。
【０００４】
また、コンテンツを整理してグループ化することにより、コンテンツを探し易くするというものもあり、この場合、グループ化されたコンテンツ群を１つのアイコンなどで表示する方法もある。そして、コンテンツグループのアイコンは、そのコンテンツグループ内の代表コンテンツの画像や一部或いは全部のコンテンツの画像から作成することが多かった。
【０００５】
しかしながら、このように、コンテンツの一覧表示を表示する場合、コンテンツを探し易くするために、様々な順序に従って表示を行うが、その都度、表示を切り替えて行っていたため、効率的にユーザにデータ一覧を見せることができなかった。
【０００６】
そこで、コンテンツのサムネイルをジャンル毎に区分し、その代表となるコンテンツのサムネイルを一列に配置して表示し、左右キーでジャンルを選択し、上下キーでジャンル内のコンテンツのサムネイルを表示させて選択するというものが存在する。例えば、特許文献１参照。
【０００７】
また、コンテンツ及びコンテンツグループの画像をある配列に並べて表示し、そのうちの１つのコンテンツ又はコンテンツグループを第１の操作で選択させる。そして、コンテンツグループが選択された際には、それと同一グループ内のコンテンツの画像を表示し、更にそのグループ内のコンテンツを第２の操作で選択させる。再び、第１の操作で配列上のコンテンツ及びコンテンツグループを選択しようとした場合、第２の操作で最後に選択したコンテンツをグループの画像として表示するといったシステムも存在する。例えば、特許文献２参照。
【０００８】
また、グループ毎に纏められたコンテンツ群において、順序データに基づきコンテンツを配列して表示し、コンテンツを選択できるようにする。その際にグループ名を表示したり、個々のコンテンツを選択した際、配列中のどの位置にあるかを表示したりするといったシステムも存在する。例えば、特許文献３参照。
【特許文献１】特開平９−３７１８１号公報
【特許文献２】特開２００３−２０２９５２号公報
【特許文献３】特開２００６−０３３７７６号公報
【発明の開示】
【発明が解決しようとする課題】
【０００９】
しかしながら、上記従来の技術では、以下のような問題点があった。
（１）コンテンツを視覚検索する際に、概要を把握するため、或いは所望のコンテンツに早くたどり着くためにコンテンツをグループ化して表示することを行う。このグループ化を行う際に、検索する手順によって様々なグループ化の条件があり、これらを画面を切り替えたり、単純な一覧表示をしたりしていると、コンテンツ一覧の把握や容易な視覚検索ができなかった。
（２）各コンテンツグループアイコン配列において、どのコンテンツグループアイコン配列が基準となって配置されているかがわからなかった。
（３）現在選択され配列上の各コンテンツグループアイコンを選択する場合、どのコンテンツグループアイコン配列が有効となっているかがわからなかった。
（４）基準となるコンテンツグループアイコン内のどのコンテンツを基準としてコンテンツグループアイコン配列が配置されているかがわからなかった。
（５）別のコンテンツグループアイコンを基準コンテンツグループアイコンに変更した際に、コンテンツグループアイコン内のどのコンテンツを基準としてコンテンツグループアイコン配列を配置すればよいのかがわからなかった。
（６）各コンテンツグループにおいて、基準としたコンテンツを自由に選択できなかった。
（７）コンテンツグループを形成する際に、どのようなカテゴリでグループを形成して配置すればよいかがわからなかった。
（８）各カテゴリのコンテンツグループアイコン配列において、隣り合うコンテンツグループアイコンが関連性をもたず、有効なコンテンツ検索ができなかった。
【００１０】
本発明は、様々な条件でグループ化したコンテンツグループを、関連性を持たせて一覧表示することを目的とする。
【課題を解決するための手段】
【００１１】
本発明は、複数のコンテンツを、複数のグループ化条件でそれぞれグループ化して並べた複数のコンテンツグループ配列から、それぞれの配列に対応する、各配列の少なくとも一部のコンテンツグループに対応するコンテンツグループアイコンの配列をそれぞれ生成し、該複数のコンテンツグループアイコンの配列に基づいて表示画面を生成する表示画像制御装置であって、前記複数のコンテンツグループアイコンの配列各々に対応するコンテンツグループアイコンをそれぞれ第１の方向に並べて表示するための表示画面を生成する表示画面生成手段を有し、前記表示画面生成手段は、前記複数のコンテンツのうち１つのコンテンツを基準コンテンツとし、前記複数のコンテンツグループアイコン配列各々における基準コンテンツを含むコンテンツグループに対応するグループアイコンの位置が第２の方向に並ぶよう表示画面を生成することを特徴とする。
【００１２】
また、本発明は、動画を含む複数のコンテンツを、複数の順序条件でそれぞれ並べた複数のコンテンツ配列の、それぞれの配列に対応する、各配列の少なくとも一部のコンテンツに対応するコンテンツアイコンの配列をそれぞれ生成し、該複数のコンテンツアイコンの配列に基づいて表示画面を生成する表示画像制御装置であって、前記コンテンツアイコンが動画を示す場合、複数のフレームアイコンから構成され、前記コンテンツアイコンの複数の配列各々に対応するコンテンツアイコンをそれぞれ第１の方向に並べて表示するための表示画面を生成する表示画面生成手段を有し、前記表示画面生成手段は、任意の前記配列の前記アイコン及び前記フレームアイコンのうち一つを基準アイコンとし、他の配列の前記基準アイコンと対応するコンテンツを示すアイコンが第２の方向に並ぶよう前記表示画面を生成することを特徴とする。
【００１３】
更に、本発明は、複数のコンテンツにそれぞれ対応付けられた複数のコンテンツアイコンを表示するコンテンツ表示装置であって、前記コンテンツアイコンを任意の順序に従って第１の方向に並べてアイコン配列として表示する第１の表示手段と、前記アイコン配列のうちの基準となるコンテンツに対応付けられたコンテンツアイコンの複製イメージを生成し、該複製イメージを前記第１の方向と異なる第２の方向に沿って移動させ、前記複製イメージを中心にコンテンツアイコンを前記第１の方向に沿って外側へ順次配置させてアイコン配列を生成する様子を表示する第２の表示手段とを有することを特徴とする。
【発明の効果】
【００１４】
本発明によれば、様々な条件でグループ化したコンテンツグループを、関連性を持たせて一覧表示することで、ユーザが概要を把握することができ、容易な視覚検索を行うことができる。
【００１５】
また、基準となるコンテンツグループアイコン配列、コンテンツグループアイコン、更にコンテンツを明確に把握することができ、コンテンツ一覧の概要把握、容易な視覚検索を行うことができる。
【００１６】
また、基準となるコンテンツグループアイコン配列の選択、スクロールさせることによるコンテンツグループアイコンの選択を行うことができ、この際にも選択されたコンテンツグループアイコンを基準に一覧表示できる。更に、基準コンテンツも変更でき、コンテンツ一覧の概要把握、容易な視覚検索を行うことができる。
【００１７】
更に、コンテンツのグループ化、グループの配置の際に、関連するグループをその近傍に配置することができ、関連するコンテンツグループの把握、更にはコンテンツグループを絞り込むことによる容易な視覚検索を行うことができる。
【発明を実施するための最良の形態】
【００１８】
以下、図面を参照しながら発明を実施するための最良の形態について詳細に説明する。
【００１９】
［第１の実施形態］
第１の実施形態では、複数の画像コンテンツをあるグループ条件でグループ化してコンテンツグループアイコンを作成し、そのコンテンツグループアイコンを指定の順序条件で並べて一覧表示する処理を説明する。まず、コンテンツグループアイコンを一覧表示するコンテンツ検索装置を含むシステム全体の構成について説明する。
【００２０】
［システム構成］
図１は、第１の実施形態におけるコンテンツ検索システムの構成の一例を示す図である。図１において、１０１はコンテンツ検索装置であり、コンテンツやコンテンツグループアイコンを保持し、コンテンツグループアイコンの配列を形成する。そして、コンテンツグループアイコンの配列を配置し、後述する表示装置に出力する。１０２はディスプレイなどの表示装置であり、コンテンツ検索装置１０１から出力されたコンテンツやコンテンツグループアイコンの画像を表示する機能を有する。１０３は操作リモコン装置であり、コンテンツの選択や表示の切り替えなどの操作入力機能を有する。
【００２１】
図２は、図１に示すコンテンツ検索装置１０１及び表示装置１０２のハードウェア構成の一例を示す図である。図２において、コンテンツ検索装置１０１内の２０１は中央制御部（ＣＰＵ）であり、後述するＲＯＭ等に格納されたプログラムに従ってコンテンツ検索装置全体を制御する。２０２はＲＯＭであり、ＣＰＵ２０１のプログラムや制御データなどが格納されている。２０３はＲＡＭであり、ＣＰＵ２０１が制御を実行時に使用される作業領域や各種テーブルが定義されるメモリである。
【００２２】
２０４は操作入力部であり、操作リモコン装置１０３からの操作コマンドを受け取る。２０５はコンテンツ蓄積部であり、表示、検索対象となるコンテンツを蓄積する。２０６はコンテンツ管理部であり、コンテンツ蓄積部２０５に蓄積されているコンテンツを管理する。
【００２３】
２０７はコンテンツグループ管理部あり、グループ条件や順序条件を保持し、それぞれに対応したコンテンツグループを管理する。２０８はコンテンツグループ作成部であり、コンテンツグループ管理部２０７のグループ条件に従ってコンテンツ蓄積部２０５に蓄積されているコンテンツに対してグループ化を行い、コンテンツのグループを作成する。
【００２４】
２０９はコンテンツアイコン作成部であり、コンテンツグループ管理部２０７で管理されるコンテンツグループに対してそのコンテンツグループアイコンを作成する。２１０はコンテンツアイコン格納部であり、コンテンツアイコン作成部２０９で作成されたコンテンツグループアイコンを保持する。
【００２５】
２１１は表示制御部であり、コンテンツグループアイコンをコンテンツグループ管理部２０７で保持されているある順序条件に従って配列し、そのコンテンツグループアイコン配列を配置して操作画面データを作成する。２１２は表示出力部であり、表示装置１０２に対してコンテンツやそのアイコン、表示制御部２１１で作成された操作画面データなどを出力する。
【００２６】
２１３は画面情報取得部であり、表示装置１０２の表示部に表示されている画面状態を取得し、管理する。２１４は内部バスである。
【００２７】
また、表示装置１０２内の２２１は中央制御部（ＣＰＵ）、２２２はＲＯＭ、２２３はＲＡＭである。２２４は表示部であり、コンテンツ検索装置１０１の表示制御部２１１にて生成され、表示出力部２１２から出力された表示画像データを表示する。２２５は内部バスである。
【００２８】
図３は、図１に示す操作リモコン装置１０３のハードウェア構成の一例を示す図である。図３において、３０１は上を指示するキー、３０２は下を指示するキー、３０３は右を指示するキー、３０４は左を指示するキーである。これらのキーは、コンテンツアイコンの選択を変更したり、コンテンツ自体の選択を変更したりする際に、ユーザによって操作される。３０５は確定キーであり、選択や操作を決定するキーである。
【００２９】
３０６は基準コンテンツグループ内の基準コンテンツを変更する操作に切り替えるコンテンツ変更操作キーである。３０７は通常操作と絞込みの操作を切り替える動作変更キーである。３０８はコンテンツ一覧表示画面からコンテンツグループ一覧表示画面に画面を切り替える画面切り替えキーである。
【００３０】
次に、表示装置１０２に表示されたコンテンツグループアイコンの表示を操作リモコン装置１０３の上下左右の指示キー３０１〜３０４に従って遷移させる操作を、図４〜図６を用いて説明する。
【００３１】
図４では、日付でグループ化されているコンテンツグループアイコン４３１〜４３７が日付順に配列され、これが基準コンテンツグループアイコン配列となっている。更には、イベントでグループ化されているコンテンツグループアイコン４２１〜４２７がイベント順に配列され、人物でグループ化されているコンテンツグループアイコン４１１〜４１７が人物順で配列されている。そして、基準コンテンツを含む基準コンテンツグループアイコン４３４が指定されている。また、イベント順のグループでは、この基準コンテンツがコンテンツグループアイコン４２４に含まれており、人物順のグループでは、コンテンツグループアイコン４１４に含まれている。
【００３２】
この状態で、操作リモコン装置１０３の右指示キー３０３が押されると、図５に示すように日付順のグループのコンテンツアイコン配列が左にスクロールし、基準コンテンツグループアイコンが４３５となる。ここで、イベント順のグループでは、この基準コンテンツがコンテンツグループアイコン４２３に含まれており、人物順のグループでは、コンテンツグループアイコン４１６に含まれている。従って、それぞれがコンテンツグループアイコン４３５の上にくるようにコンテンツグループアイコン配列がスクロールして配置される。
【００３３】
また、図４に示す状態で操作リモコン装置１０３の上指示キー３０１が押されると、図６に示すようにイベント順のグループのコンテンツアイコン配列が下にスクロールし、基準コンテンツグループアイコンが４２４となる。ここで、人物順のグループでは、この基準コンテンツがコンテンツグループアイコン４１４に含まれており、日付順のグループでは、コンテンツグループアイコン４３４に含まれている。従って、それぞれがコンテンツグループアイコン４２４の上にくるようにコンテンツグループアイコン配列がスクロールして配置される。
【００３４】
このように、操作リモコン装置１０３の上下左右の指示キー３０１〜３０４に従って、基準コンテンツグループアイコンが変更され、この変更に従って、各コンテンツグループアイコン配列がスクロールし、画面が遷移していく。
【００３５】
次に、上述した操作リモコン装置１０３の上下左右の指示キー３０１〜３０４に従ってコンテンツグループアイコン配列をスクロールし、確定キー３０５が押されると、図７に示すようにコンテンツアイコンを表示する。
【００３６】
図７は、確定キー３０５が押された際に、基準コンテンツグループアイコンが指し示すコンテンツアイコンを表示した画面の一例を示す図である。図７において、７１１は基準コンテンツアイコンであり、他のコンテンツアイコンと外観上異なる表示がなされており、更に操作リモコン装置１０３の上下左右の指示キー３０１〜３０４でコンテンツを選択できる。７１２〜７４１は通常のコンテンツアイコンである。また、１つの画面に表示できないコンテンツアイコンがある場合、スクロールをして表示される。
【００３７】
また、基準コンテンツグループアイコンに対してコンテンツ変更操作キー３０６が押されると、図８に示すように変更表示画面を表示する。
【００３８】
図８は、基準コンテンツ変更表示画面の一例を示す図である。図８において、８１１は基準コンテンツアイコンであり、他のコンテンツアイコンと外観上異なる表示がなされており、更に操作リモコン装置１０３の上下左右の指示キー３０１〜３０４で基準コンテンツを変更できる。８１２〜８３１は通常のコンテンツアイコンである。また、１つの画面に表示できないコンテンツアイコンがある場合、スクロールをして表示される。
【００３９】
そして、８０１は基準コンテンツグループアイコン、８０２は別のコンテンツグループアイコン配列、８０３はコンテンツグループアイコン、８０４はコンテンツを示す画像である。
【００４０】
［詳細動作説明］
次に、第１の実施形態におけるコンテンツ検索装置１０１の具体的な動作をいくつかの場合に分けて説明する。
【００４１】
まず、日時順、イベント順、人物順といった異なるグループ条件、順序条件で配列するコンテンツグループアイコンの表示及び画面遷移を説明する。
【００４２】
図９は、表示部２２４に表示されるユーザインターフェース画面の一例を示す図である。図９において、９１１は基準コンテンツを含み、基準コンテンツグループアイコン配列に属している基準コンテンツグループアイコンであり、他のコンテンツグループアイコン９１２〜９１４とは外観上異なる表示がされている。９１２はイベント順にソートされたコンテンツグループアイコン配列に属している基準コンテンツグループアイコンである。９１３は人物順にソートされたコンテンツグループアイコン配列に属している基準コンテンツグループアイコンである。
【００４３】
尚、基準コンテンツグループアイコン９１１〜９１３は、基準コンテンツを含んでいる。また、この例では、コンテンツグループアイコンは、それぞれ４つのコンテンツを示す画像から構成されている。
【００４４】
９１４は基準コンテンツグループアイコン９１１〜９１３以外の、コンテンツグループアイコンの例で、中には代表コンテンツを示す９３４があり、他のコンテンツを示す画像とは、外観上異なる表示がされている。
【００４５】
９２１は日付順にソートされたコンテンツグループアイコン配列である。９２２はイベント順にソートされたコンテンツグループアイコン配列である。９２３は人物順にソートされたコンテンツグループアイコン配列である。また、日付順にソートされたコンテンツグループアイコン配列９２１は、この例では基準コンテンツグループアイコン配列であり、他のコンテンツグループアイコン配列９２２、９２３とは、外観上異なる表示がされている。
【００４６】
９３１は基準コンテンツグループアイコン９１１内の基準コンテンツを示す画像であり、他のコンテンツを示す画像とは、外観上異なる表示がされている。コンテンツグループアイコン９１２、９１３内にも基準コンテンツを示す画像９３２、９３３が含まれている。これらの画像９３２、９３３は、基準コンテンツを示す画像９３１と同様のものを表示し、他のコンテンツを示す画像とは、外観上異なる表示がされている。
【００４７】
図１０は、各順序条件でのコンテンツグループアイコン配置を示す図である。図１０において、日付順にソートされたコンテンツグループアイコン配列では、月毎にグループ化されており、基準コンテンツグループは１０３４の２００６／６である。
【００４８】
イベント順にソートされたコンテンツグループアイコン配列では、イベントを更にグループ化し、つり１０２１のグループ１００４、カーリング１０２３のグループ１００５、キャンプ１０２８のグループ１００６の順で並んでいる。この基準コンテンツグループは、サッカー１０２４である。
【００４９】
人物順にソートされたコンテンツグループアイコン配列では、人物を更にグループ化し、Ｄさん１０１１のグループ１００１、Ａ君１０１３のグループ１００２、Ｅ君１０１６のグループ１００３の順で並んでいる。この基準コンテンツグループは、Ｂ君１０１４である。
【００５０】
図１１は、第１の実施形態におけるコンテンツグループアイコン選択処理を示すフローチャートである。まず、図９に示すような基準コンテンツグループアイコン配列９２１の基準コンテンツグループアイコン９１１を中心に、コンテンツグループ一覧画面が表示される（Ｓ１１０１）。ここで、操作リモコン装置１０３の右指示キー３０３が押下されると（Ｓ１１０２）、図４に示す画面から図５に示す画面へ遷移するように基準コンテンツグループアイコン配列９２１を左にスクロールする（Ｓ１１０３）。そして、コンテンツグループアイコン９１４を基準コンテンツグループアイコンに変更し、外観上他とは異なる表示を行う。更に、基準コンテンツをコンテンツグループアイコン９１４の代表コンテンツである９３４に変更する（Ｓ１１０４）。
【００５１】
次に、コンテンツグループアイコン配列９２２における基準コンテンツ９３４を含むコンテンツグループアイコンがコンテンツグループアイコン９１４の上に配置されるように、コンテンツグループアイコン配列９２２を移動する（Ｓ１１０５）。また、コンテンツグループアイコン配列９２３も同様に移動する。そして、これらのコンテンツグループの代表コンテンツを基準コンテンツ９３４と同じコンテンツに変更する（Ｓ１１０６）。
【００５２】
また、操作リモコン装置１０３の左指示キー３０４が押下されると（Ｓ１１０２）、基準コンテンツグループアイコン配列９２１を右にスクロールし、右指示キー３０３が押下された場合と同様の動作を行う。
【００５３】
一方、操作リモコン装置１０３の上指示キー３０１が押下されると（Ｓ１１０７）、図４に示す画面から図６に示す画面へ遷移するように、イベント順のコンテンツグループアイコン配列９２２を下にスクロールする。そして、最上位に日付順のコンテンツグループアイコン配列９２１を配置する（Ｓ１１０８）。次に、イベント順のコンテンツグループアイコン配列９２２を、他のコンテンツグループアイコン配列と外観上異なるように表示する（Ｓ１１０９）。
【００５４】
また、操作リモコン装置１０３の下指示キー３０２が押下されると（Ｓ１１０７）、日付順のコンテンツグループアイコン配列９２１を上にスクロールする。そして、最下位に人物順のコンテンツグループアイコン配列９２３を配置し、上指示キー３０１が押下された場合と同様の動作を行う。
【００５５】
次に、操作リモコン装置１０３の確定キー３０５が押下されると（Ｓ１１１０）、選択されている基準コンテンツグループアイコンを展開し、図７に示すようなコンテンツアイコンの一覧表示を行う（Ｓ１１１１）。また、操作リモコン装置１０３のコンテンツ変更操作キー３０６が押下されると（Ｓ１１１２）、図８に示すような基準コンテンツ変更用の画面に切り替わる（Ｓ１１１３）。
【００５６】
また、操作リモコン装置１０３の動作変更操作キー３０７が押下されると（Ｓ１１１４）、現在選択されている基準コンテンツグループを中心に、図１３に示すようなグループ毎の絞込み動作用の画面に切り替わる（Ｓ１１１５）。その後、操作が終了となるまで、上述の処理を繰り返す。
【００５７】
このように、選択されているコンテンツグループを基準として、常に上方向に基準コンテンツを含むコンテンツグループアイコンを表示することができ、コンテンツ一覧の概要把握、容易な視覚検索を行うことができる。また、基準コンテンツグループアイコン配列、基準コンテンツグループアイコン、基準コンテンツを容易に把握することができる。
【００５８】
図１２は、第１の実施形態における基準コンテンツ選択処理を示すフローチャートである。まず、図８に示すような基準コンテンツグループアイコン８０１がコンテンツアイコンベースに展開された基準コンテンツ変更画面が表示される（Ｓ１２０１）。ここでは、基準コンテンツアイコンは８１１である。そして、操作リモコン装置１０３の下指示キー３０２が押下されると（Ｓ１２０２）、基準コンテンツアイコンが８２１へ、右指示キー３０３が押下されると（Ｓ１２０２）、基準コンテンツアイコンが８１２へ変更される（Ｓ１２０３）。
【００５９】
このように、上下左右に基準コンテンツアイコンが変更されていき、コンテンツアイコン８３１のように表示外のコンテンツに変更されると（Ｓ１２０４）、基準コンテンツグループアイコン８０１の表示をスクロールする。そして、スクロールしたコンテンツグループアイコンを表示する（Ｓ１２０５）。更に、他のコンテンツグループアイコン配列８０２に含まれる基準コンテンツグループ８０３も選択された基準コンテンツを含むコンテンツグループに変更され、そのアイコンが、基準コンテンツグループアイコン８０１上に表示される（Ｓ１２０６）。そして、変更されたコンテンツグループ８０３の代表コンテンツを、現在選択されている基準コンテンツと同じコンテンツに変更する（Ｓ１２０７）。
【００６０】
また、操作リモコン装置１０３の確定キー３０５が押下されると（Ｓ１２０８）、図９に示すコンテンツグループ一覧画面に表示が切り替わる（Ｓ１２０９）。
【００６１】
このように、基準コンテンツをコンテンツグループ内で切り替えることができ、更には基準コンテンツグループにて、それを変更する直前に基準コンテンツであったものを代表コンテンツとすることにより、代表コンテンツの変更も行うことができる。
【００６２】
次に、日時順に並んだコンテンツグループをイベント毎にグループ化し、更に人物毎にグループ化といった絞込みを行い、グループ条件毎に絞込み配列したコンテンツグループアイコンの表示を説明する。
【００６３】
図１３は、グループ条件毎に絞込みを行うユーザインターフェース画面の一例を示す図である。図１３において、１３１１〜１３３３はそれぞれの順序条件におけるコンテンツグループアイコン、１３４１〜１３４３はコンテンツグループアイコン配列、１３５１〜１３５５はコンテンツグループアイコン中のコンテンツを示す画像である。
【００６４】
この例では、日付順にソートされたコンテンツグループアイコン配列が、基準コンテンツグループアイコン配列１３４１であり、他のコンテンツグループアイコン配列１３４２、１３４３とは、外観上異なる表示がされている。
【００６５】
１３１１は基準コンテンツグループアイコン配列１３４１に属している基準コンテンツグループアイコンで、これに含まれるコンテンツはコンテンツグループアイコン１３２１〜１３２３に示すコンテンツグループに分類できる。
【００６６】
１３２１はイベント順にソートされたコンテンツグループアイコン配列１３４２に属している基準コンテンツグループアイコンであり、これに含まれるコンテンツはコンテンツグループアイコン１３３１〜１３３３に示すコンテンツグループに分類できる。そして、１３３１は人物順にソートされたコンテンツグループアイコン配列１３４３に属している基準コンテンツグループアイコンである。
【００６７】
そして、コンテンツグループアイコン１３１１、１３２１、１３３１は、それぞれ基準コンテンツを示す画像１３５１、１３５２、１３５３を含んでいる。
【００６８】
１３５１は基準コンテンツグループアイコン１３１１内の基準コンテンツを示す画像である。コンテンツグループアイコン１３２１、１３３１内にも基準コンテンツを示す画像１３５２、１３５３が含まれている。これは、基準コンテンツグループアイコン１３１１内の基準コンテンツを示す画像１３５１と同様のものを表示している。また、１３５４、１３５５は、コンテンツグループアイコン１３１２、１３２２内の代表コンテンツを示す画像である。
【００６９】
図１４は、グループ条件毎の絞込み配列のコンテンツグループ配置の一例を示す図である。図１４において、日付順にソートされたコンテンツグループアイコン配列は、月毎にグループ化され、基準コンテンツグループは１４３４の２００６／６である。イベント順にソートされたコンテンツグループアイコン配列は、コンテンツグループ１４３１〜１４３９のそれぞれに含まれるコンテンツグループにより、更にグループ化している。具体的には、基準コンテンツグループ１４３４の２００６／６に含まれるコンテンツを、コンテンツグループ１４２３のテニス、１４２４のゴルフ、１４２５のパーティとして分類して配列している（１４０５）。
【００７０】
また、コンテンツグループ１４３３の２００６／５に含まれるコンテンツを、コンテンツグループ１４２１のテニス、１４２２の旅行として分類して配列している（１４０４）。また、コンテンツグループ１４３５の２００６／７に含まれるコンテンツを、コンテンツグループ１４２６のキャンプ、１４２７のテニス、１４２８のゴルフ、１４２９のつりとして分類して配列している（１４０６）。
【００７１】
更に、人物順にソートされたコンテンツグループアイコン配列も、コンテンツグループ１４２１〜１４２９のそれぞれに含まれるコンテンツグループにより、更にグループ化している。具体的には、コンテンツグループ１４２４のゴルフに含まれるコンテンツを、コンテンツグループ１４１３のＡ君、１４１４のＢ君、１４１５のＣさん、１４１６のＦ君として分類して配列している（１４０２）。
【００７２】
また、コンテンツグループ１４２３のテニスに含まれるコンテンツを、コンテンツグループ１４１１のＡ君、１４１２のＤさんとして分類して配列している（１４０１）。また、コンテンツグループ１４２５のパーティに含まれるコンテンツを、コンテンツグループ１４１７のＢ君、１４１８のＤさん、１４１９のＦ君として分類して配列している。
【００７３】
それぞれの配列において、同一のグループにグループ化されるべきコンテンツグループが複数存在するが、これは基準コンテンツグループから絞り込まれたものであり、含まれるコンテンツは別のものとなる。
【００７４】
ここで、図１３に示すグループ毎の絞込み画面でユーザが基準コンテンツグループアイコン１３１１を左隣のコンテンツグループアイコン１３１２に変更すると、図１５に示すグループ毎の絞込み画面に遷移する。
【００７５】
図１５は、図１３に示すユーザインターフェース画面からグループ毎に絞込みを行い、遷移した状態を示す図である。図１５に示すように、基準コンテンツグループアイコンが１３１１から１３１２のコンテンツグループアイコンに変更される。基準コンテンツは、コンテンツグループアイコン１３１２にある代表コンテンツである１３５４となる。
【００７６】
また、基準コンテンツグループアイコン１３１２に含まれるコンテンツは、コンテンツグループアイコン１３２４、１３２５に示されるコンテンツグループに分類できる。１３２４は基準コンテンツ１３５４と同じコンテンツを示す画像１３５６を含み、イベント順にソートされたコンテンツグループアイコン配列に属している基準コンテンツグループアイコンとなる。更に、このコンテンツグループアイコン１３２４に含まれるコンテンツは、コンテンツグループアイコン１３３４、１３３５に示されるコンテンツグループに分類できる。
【００７７】
また、コンテンツグループアイコン１３２４の右には、この元となるコンテンツグループアイコン１３１２の右にあるコンテンツグループアイコン１３１１に含まれているコンテンツグループアイコン１３２２が表示される。１３３４は基準コンテンツ１３５４と同じコンテンツを示す画像１３５６を含み、人物順にソートされたコンテンツグループアイコン配列に属している基準コンテンツグループアイコンとなる。
【００７８】
また、コンテンツグループアイコン１３３４の左には、この元となるコンテンツグループアイコン１３２４の左にあるコンテンツグループアイコン１３２５に含まれているコンテンツグループアイコン１３３６が表示される。
【００７９】
図１６は、第１の実施形態における絞込みコンテンツグループアイコン選択処理を示すフローチャートである。まず、図１３に示すような基準コンテンツグループアイコン配列１３４１の基準コンテンツグループアイコン１３１１を中心に、コンテンツグループ一覧画面が表示される（Ｓ１６０１）。ここで、操作リモコン装置１０３の左指示キー３０４が押下されると（Ｓ１６０２）、図１５に示すように、基準コンテンツグループアイコン配列１３４１を右にスクロールする（Ｓ１６０３）。そして、基準コンテンツグループアイコンを１３１２に変更し、外観上他とは異なる表示を行う。更に、基準コンテンツをコンテンツグループアイコン１３１２の代表コンテンツである１３５４に変更する（Ｓ１６０４）。
【００８０】
次に、コンテンツグループアイコン配列１３４２を、その配列における基準コンテンツ１３５４を含むコンテンツグループアイコンが、コンテンツグループアイコン１３１２の上に配置されるように移動する（Ｓ１６０５）。また、コンテンツグループアイコン配列１３４３も同様に移動する。そして、これらのコンテンツグループの代表コンテンツを基準コンテンツ１３５４と同じコンテンツに変更する（Ｓ１６０６）。
【００８１】
また、操作リモコン装置１０３の右指示キー３０３が押下されると（Ｓ１６０２）、基準コンテンツグループアイコン配列１３４１を左にスクロールし、左指示キー３０４が押下された場合と同様の動作を行う。
【００８２】
一方、図１３に示す状態で、操作リモコン装置１０３の上指示キー３０１が押下されると（Ｓ１６０７）、基準コンテンツグループアイコンが１３２１に移動する（Ｓ１６０８）。更に、この状態で、操作リモコン装置１０３の左指示キー３０４が押下されると、コンテンツグループアイコン配列１３４２を右にスクロールする（Ｓ１６０３）。そして、基準コンテンツグループアイコンを１３２２に変更し、外観上他とは異なる表示を行う。更に、基準コンテンツをコンテンツグループアイコン１３２２の代表コンテンツである１３５５に変更する（Ｓ１６０４）。
【００８３】
次に、コンテンツグループアイコン配列１３４３を、その配列における基準コンテンツ１３５５を含むコンテンツグループアイコンが、コンテンツグループアイコン１３２２の上に配置されるように移動する（Ｓ１６０５）。そして、これらのコンテンツグループの代表コンテンツを基準コンテンツ１３５５と同じコンテンツに変更する（Ｓ１６０６）。ここで、基準コンテンツグループアイコン配列１３４１中のコンテンツグループアイコン１３１１は、基準コンテンツ１３５５を含んでいるので移動せず、代表コンテンツを基準コンテンツ１３５５と同じコンテンツに変更する（Ｓ１６０６）。
【００８４】
次に、操作リモコン装置１０３の確定キー３０５が押下されると（Ｓ１６０９）、選択されている基準コンテンツグループアイコンを展開し、図７に示すようなコンテンツアイコンの一覧表示を行う（Ｓ１６１０）。
【００８５】
また、操作リモコン装置１０３のコンテンツ変更操作キー３０６が押下されると（Ｓ１６１１）、図８に示すような基準コンテンツ変更用の画面に切り替わる（Ｓ１６１２）。また、操作リモコン装置１０３の動作変更操作キー３０７が押下されると（Ｓ１６１３）、現在選択されている基準コンテンツグループを中心に、図９に示すようなコンテンツグループ一覧表示画面に切り替わる（Ｓ１６１４）。その後、操作が終了となるまで、上述の処理を繰り返す。
【００８６】
このように、コンテンツのグループ化、グループの配置の際に、関連するグループをその近傍に配置することができ、関連するコンテンツグループの把握、更にはコンテンツグループを絞り込むことによる容易な視覚検索することができる。
【００８７】
第１の実施形態では、コンテンツグループアイコン配列を日付順、イベント順、人物順の３列で配置していたが、２列、もしくは４列以上としても良い。また、それぞれが別のカテゴリにてグループ化しているが、同じ日付順で、各コンテンツグループが日毎、月毎、年毎といったグループ化がなされていても良い。
【００８８】
また、基準コンテンツグループアイコンを全てのコンテンツアイコン配列で表示していたが、基準コンテンツアイコン配列でのみ表示を行い、他のコンテンツアイコン配列においては、基準コンテンツグループアイコンを表示しなくても良い。
【００８９】
更に、コンテンツグループアイコンは、コンテンツを示す画像でないもの、任意の１つ以上のコンテンツを示す画像や、コンテンツグループに含まれる全てのコンテンツを示す画像から構成されていても良い。
【００９０】
また、基準コンテンツグループアイコンをコンテンツグループアイコン配列に対して直行する第二の方向に配置するように画面を生成していたが、この第二の方向が斜め方向に交差するように配置しても良い。この場合でも、基準コンテンツグループアイコンは、常に一定した第二の方向に配置されるように画面が生成される。
【００９１】
また、基準コンテンツグループアイコンを指し示す画面内の位置を常に中央に配置していたが、これが左右に移動しても良い。この場合でも、第一の方向と第二の方向の交点は移動することになるが、基準コンテンツグループアイコンは、常に一定した第二の方向に配置されるように画面が生成される。
【００９２】
［第２の実施形態］
次に、図面を参照しながら本発明に係る第２の実施形態を詳細に説明する。
【００９３】
近年、デジタルカメラ、デジタルビデオカメラ、デジタルビデオディスクレコーダ、薄型テレビ等のデジタル家電の普及が急速に進んでいる。これらデジタル家電では、静止画、動画等のコンテンツが作成、蓄積、再生、編集される。そして、記憶メディアの大容量、低価格化に伴い、これらコンテンツにおける動画の割合は増加の一途を辿っている。
【００９４】
動画コンテンツは、静止画コンテンツとは異なり、時間軸が存在するため、その概要の把握や必要なフレーム（シーン）を指定した再生や編集を行うために、静止画コンテンツの場合とは異なった機能が必要になる。
【００９５】
この機能として最も一般的な機能は、動画の再生、早送り、巻き戻しを行うことである。また、動画コンテンツ内のフレームの特性を解析して境界部を判定し、境界部で分割された区間で代表的なフレームの静止画を一覧表示し、静止画を指定して区間の編集等の操作を行うことが知られている（例えば、特開平６−２０９４５１号公報参照）。
【００９６】
また、チャプタと呼ばれる頭出し点が設定された動画コンテンツに対してチャプタ表示が指示されると、チャプタ表示画面が表示されることが知られている。チャプタ表示画面には、動画コンテンツの選択された区間が繰り返し動画で表示され、更に前後のチャプタに対応するサムネイル（縮小画像）が表示される（例えば、特開２００６−８６６１２号公報参照）。
【００９７】
しかしながら、従来の技術では、動画コンテンツを選択しながらコンテンツ内の必要なシーンを見つけ出して再生や編集を行う場合には、操作が煩雑になるという問題がある。例えば、コンテンツを管理する画面で検索やソートを行い、所望のコンテンツ群を絞り込み、絞り込んだコンテンツ群から順じコンテンツを選んでチャプタ表示画面に切り替えて必要なシーンを選ばなければならない。
【００９８】
尚、絞り込んだ全てのコンテンツのシーンを表示することも考えられるが、他のコンテンツのシーンを加えたくなった場合には同様の操作が必要になる。また、全てのコンテンツのシーンを表示することも考えられるが、シーン数が多くなり、必要なシーンの選択が困難になってしまう。
【００９９】
第２の実施形態は、コンテンツ再生編集装置において、複数の動画コンテンツからシーンを選択する際の操作性を向上させるものである。
【０１００】
図１７は、第２の実施形態におけるコンテンツ再生編集装置のハードウェア構成の一例を示す図である。図１７に示すように、コンテンツ再生編集装置１７００は、ＣＰＵ１７０１、ＲＯＭ１７０２、ＲＡＭ１７０３、ディスプレイインタフェース１７０４、赤外線入力インタフェース１７０５、ハードディスクドライブ（ＨＤＤ）１７０６から構成される。
【０１０１】
ディスプレイインタフェース１７０４は、不図示のディスプレイデバイスドライバからの画面情報をディスプレイ１７１０が処理可能な信号に変換する。また赤外線入力インタフェース１７０５は、赤外線リモコン１７２０からの赤外線信号を受信し、不図示の赤外線インタフェースデバイスドライバが処理可能な情報に変換する。
【０１０２】
ここでは、不図示であるが、オペレーティングシステム（以下ＯＳ）、後述する各処理プログラム、デバイスドライバ等はＨＤＤ１７０６に記憶され、適宜、ＲＡＭ１７０３に一時記憶され、ＣＰＵ１７０１によって実行される。ＲＯＭ１７０２には入出力制御用のプログラムが記憶され、電源投入時にＨＤＤ１７０６に記憶されたＯＳを起動するためのＣＰＵ１７０１による処理を記憶する。
【０１０３】
尚、以下特に断らない限り、他図を用いて説明されたものには同一の符号を付し、その説明を省略する。
【０１０４】
図１８は、第２の実施形態におけるコンテンツ再生編集装置の機能構成の一例を示す図である。図１８に示すように、コンテンツ再生編集装置１７００には、記憶部１８０１、操作取得部１８０２、表示出力部１８０３、表示制御部１８０４、操作実行部１８０５が含まれる。
【０１０５】
記憶部１８０１は、後述するコンテンツ情報（図２０）、動画フレーム情報（図２１）、配列（図２２及び図２３）、プレイリスト情報（図３０）を記憶する。また、不図示のコンテンツデータ、サムネイルデータも記憶部１８０１に記憶される。
【０１０６】
操作取得部１８０２は、赤外線リモコン１７２０からの操作指示を表示制御部２０４に伝える。表示出力部１８０３は、表示制御部１８０４で生成された画面データに基づき、ディスプレイ１７１０への表示出力を行う。ここで画面データは、画像データであっても画像データを生成するための情報であっても良い。
【０１０７】
表示制御部１８０４は、操作取得部１８０２が取得した操作指示に応じて、記憶部１８０１に記憶されたコンテンツ及び動画フレームのサムネイルを読み出す。そして、後述する配列（図２２及び図２３）に基づいて配置し、画面データを生成する。更に、操作取得部１８０２で取得した操作指示に応じて、操作実行部１８０５によるコンテンツに対する操作を指示する。
【０１０８】
操作実行部１８０５は、表示制御部１８０４からの指示に基づき、記憶部１８０１に記憶された対応するコンテンツの再生（読み出し及び表示）、削除、後述するプレイリスト情報（図３０）の編集等の処理を実行する。また、これらの処理に応じて、後述するコンテンツ情報（図２０）、動画フレーム情報（図２１）、配列（図２２及び図２３）を適宜更新する。
【０１０９】
図１９は、第２の実施形態における赤外線リモコン１７２０の構成の一例を示す図である。赤外線リモコン１７２０は、右スクロールを指示する右ボタン１９０３、左スクロールを指示する左ボタン１９０４、上方向への移動を指示する上ボタン１９０１、下方向への移動を指示する下ボタン１９０２を備える。また、操作メニュー表示を指示するメニューボタン１９０６、操作メニューの項目を決定する決定ボタン１９０５、操作メニューや再生表示から復帰する復帰ボタン１９０７を備える。
【０１１０】
尚、図１９に示す赤外線リモコン１７２０は一例を示したもので、配置、ボタン名称等、これに限定されるものではない。
【０１１１】
図２０は、第２の実施形態におけるコンテンツ情報の一例を示す図である。図２０に示すように、コンテンツ情報２０００には、コンテンツ名、日付、人物、場所、イベント、コンテンツファイル名、サムネイルファイル名の各項目が含まれ、記憶部１８０１に記憶される。例えば、コンテンツ名が“photo1”のコンテンツは、日時情報“2006-01-15”、人物情報“Taro”、場所情報“Tokyo”、イベント情報“Travel”を持つ。更に、コンテンツの実体となるファイルのファイル名は“contents/photo1.jpg”、サムネイルのファイル名は“thum/photo1_thum.jpg”となる。
【０１１２】
尚、上述のコンテンツ情報２０００は一例を示したもので、項目の構成や名称、値等、これに限定されるものではない。
【０１１３】
図２１は、第２の実施形態における動画フレーム情報の一例を示す図である。図２１に示すように、動画フレーム情報２１００には、動画フレーム名、コンテンツ名、位置、サムネイルファイル名の各項目が含まれ、記憶部１８０１に記憶される。ここで、コンテンツ名は該当する動画フレームを持つコンテンツの名称であり、位置はそのコンテンツ内での時間的な位置を表している。
【０１１４】
例えば、動画フレーム名が“video1-frame1”の動画フレームは、コンテンツ名“video1”、位置“00:00:00”を持つ。更に、サムネイルのファイル名は“thum/video1_f1_thum.jpg”となる。
【０１１５】
尚、上述の動画フレーム情報２１００は一例を示したもので、項目の構成や名称、値等、これに限定されるものではない。
【０１１６】
図２２は、第２の実施形態における配列情報の一例を示す図である。図２２に示す配列２２０１〜２２０４は、コンテンツ情報２０００に基づいて生成され、記憶部１８０１に記憶される。ここで、配列２２０１はコンテンツ情報２０００のコンテンツ名を日付順にソートした配列である。配列２２０２は、コンテンツ情報２０００のコンテンツ名を人物順にソートした配列である。配列２２０３は、コンテンツ情報２０００のコンテンツ名を場所順にソートした配列である。配列２２０４は、コンテンツ情報２０００のコンテンツ名をイベント順にソートした配列である。
【０１１７】
例えば、配列２２０１の場合、コンテンツ名の日付順は、“photo2”、“video2”、“photo1”、“video1”、…、であることを示す。
【０１１８】
尚、上述の配列２２０１〜２２０４は一例を示したもので、配列の構成や名称、値等、これに限定されるものではない。更に、これらの配列はコンテンツ情報２０００から必要時のみ生成されても良い。
【０１１９】
図２３は、第２の実施形態におけるフレーム表示レベルの配列情報の一例を示す図である。図２３に示す配列２３０１〜２３０４は、コンテンツ情報２０００及び動画フレーム情報２１００に基づいて生成され、記憶部１８０１に記憶される。ここで、配列２３０１は、コンテンツ情報２０００のコンテンツ名及び動画フレーム情報２１００の動画フレーム名を日付順にソートした配列である。配列２３０２は、コンテンツ情報２０００のコンテンツ名及び動画フレーム情報２１００の動画フレーム名を人物順にソートした配列である。配列２３０３は、コンテンツ情報２０００のコンテンツ名及び動画フレーム情報２１００の動画フレーム名を場所順にソートした配列である。配列２３０４は、コンテンツ情報２０００のコンテンツ名及び動画フレーム情報２１００の動画フレーム名をイベント順にソートした配列である。尚、ここで、動画フレーム情報２１００と同一のコンテンツを指すコンテンツ情報２０００は除かれている。
【０１２０】
例えば、配列２３０１の場合、コンテンツ情報２０００及び動画フレーム情報２１００の日付順は、“photo2”、“video2-frame1”、“video2-frame2”、“video2-frame3”、…、であることを示す。
【０１２１】
尚、上述の配列２３０１〜２３０４は一例を示したもので、配列の構成や名称、値等、これに限定されるものではない。更に、これらの配列はコンテンツ情報２０００及び動画フレーム情報２１００から必要時のみ生成されても良い。
【０１２２】
図２４は、第２の実施形態におけるユーザインタフェース画面の一例を示す図である。図２４に示すように、ユーザインタフェース画面２４００は、配列に対応するサムネイル配列２４０１〜２４０４から構成される。サムネイル配列２４０１は操作指示の対象となる選択配列であり、他のサムネイル配列２４０２〜２４０４とは外観上区別できるように拡大表示されている。
【０１２３】
サムネイル配列２４０１の中央に位置する“video1-frame2”のサムネイル２４０５は操作指示の対象となる選択サムネイルであり、他のサムネイルと外観上区別できるように拡大され、枠が表示されている。また、２４０６に示すサムネイル群は、選択サムネイル“video1-frame2”と同一のコンテンツを指すサムネイル群であり、この例では縦方向に並べられている。
【０１２４】
尚、この例では、サムネイル配列２４０１が配列２３０１、サムネイル配列２４０２が配列２２０１、サムネイル配列２４０３が配列２３０２、サムネイル配列２４０４が配列２２０２に対応しているが、この限りではない。
【０１２５】
図２５は、第２の実施形態におけるユーザインタフェース画面２４００を横スクロールさせた後のユーザインタフェース画面の一例を示す図である。ユーザインタフェース画面２５００は、ユーザインタフェース画面２４００の表示状態で赤外線リモコン１７２０の左ボタン１９０４が２回押下された後のユーザインタフェース画面である。即ち、ユーザインタフェース画面２４００で選択サムネイルであった“video1-frame2”の右２つ隣のサムネイル“video3-frame1”がユーザインタフェース画面２５００の選択サムネイルに変更される。また、選択サムネイル“video3-frame1”と同一のコンテンツ“video3”を指すサムネイルが縦方向に並ぶように他のサムネイル配列が更新される。
【０１２６】
尚、この例では、選択アイコンの位置を中央に固定しているが、選択アイコンの位置を移動させても良い。
【０１２７】
図２６は、第２の実施形態におけるユーザインタフェース画面２５００を縦方向に移動させた後のユーザインタフェース画面の一例を示す図である。ユーザインタフェース画面２６００は、ユーザインタフェース画面２５００の表示状態で赤外線リモコン１７２０の下ボタン１９０２が１回押下された後のユーザインタフェース画面である。即ち、ユーザインタフェース画面２５００で選択配列であった“日付順（フレーム表示）”サムネイル配列の仮想的に下に位置する“人物順”サムネイル配列が選択配列に変更される。
【０１２８】
尚、この例では、選択配列の位置を上下に移動させているが、選択配列の位置を固定し、アイコン配列を縦にスクロールさせても良い。
【０１２９】
図２７は、第２の実施形態におけるユーザインタフェース画面２６００で横スクロールさせた後のユーザインタフェース画面の一例を示す図である。ユーザインタフェース画面２７００は、ユーザインタフェース画面２６００の表示状態で赤外線リモコン１７２０の左ボタン１９０４が１回押下された後のユーザインタフェース画面である。即ち、ユーザインタフェース画面２６００で選択サムネイルであった“video3”の右隣の“video7”がユーザインタフェース画面２７００の選択サムネイルに変更される。また、選択サムネイル“video7”と同一のコンテンツを指すサムネイルが縦方向に並ぶように他のサムネイル配列が更新される。
【０１３０】
図２８は、第２の実施形態におけるコンテンツに対する操作メニューを表示中のユーザインタフェース画面の一例を示す図である。ユーザインタフェース画面２８００において、２８０１はコンテンツに対する操作メニューである。即ち、操作メニュー２８０１は、選択サムネイル“video1”が指すコンテンツに対して“選択コンテンツを再生”、“選択コンテンツをプレイリストに追加”、“選択コンテントを削除”の３つの操作から選択が可能であることを示している。操作メニュー２８０１は、選択サムネイルがコンテンツのサムネイルである場合に、赤外線リモコン１７２０のメニューボタン１９０６を押下することにより表示され、上下ボタン１９０１、１９０２で選択され、決定ボタン１９０５で決定される。
【０１３１】
図２９は、第２の実施形態における動画フレームに対する操作メニューを表示中のユーザインタフェース画面の一例を示す図である。ユーザインタフェース画面２９００において、２９０１は動画フレームに対する操作メニューである。即ち、操作メニュー２９０１では、選択サムネイル“video1-frame2”に対応する動画フレームに対する再生、プレイリスト追加、削除、範囲設定に関する操作を選択できる。
【０１３２】
プレイリストの追加及び削除に対しては、動画コンテンツ内での範囲指定が可能であり、それぞれ“選択フレームより前”、“選択フレームより後ろ”、“範囲開始点から選択フレームまで”の３つから選択できる。尚、範囲開始点は予め“選択フレームを範囲開始点に設定”を決定することにより記憶される。
【０１３３】
操作メニュー２９０１は、選択サムネイルが動画フレームのサムネイルである場合に、赤外線リモコン１７２０のメニューボタン１９０６を押下することにより表示され、上下ボタン１９０１、１９０２で選択され、決定ボタン１９０５で決定される。
【０１３４】
図３０は、第２の実施形態におけるプレイリスト情報の一例を示す図である。図３０に示すプレイリスト情報３０００は、図２８及び図２９で説明したプレイリスト追加操作の決定により更新される。プレイリスト情報３０００では、プレイリスト内のコンテンツは“photo2”、“video2”、“video1-frame2”から“video2"の最後まで（以下省略）であることを示している。
【０１３５】
尚、この例では、１つのプレリストについて説明したが複数あっても良い。但し、その場合、プレイリストを選択するためのメニュー等の追加が必要になる。
【０１３６】
また、プレイリスト内コンテンツの編集については特に記載していないが、プレイリスト内コンテンツの削除、順序変更等の機能が容易に想像できる。
【０１３７】
図３１は、第２の実施形態におけるコンテンツ再生編集装置の処理を示すフローチャートである。まず、ＣＰＵ１７０１が起動処理を開始すると、コンテンツ情報２０００及び動画フレーム情報２１００に基づいて配列２２０１〜２２０４、２３０１〜２３０４を生成する（Ｓ３１０１）。次に、選択配列及び選択サムネイルを決定する（Ｓ３１０２）。そして、Ｓ３１０１で生成した配列の中から表示対象となる配列を順じ読み出す（Ｓ３１０３）。
【０１３８】
次に、読み出した配列が選択配列である場合（Ｓ３１０４でＹｅｓ）、配列に基づき、選択サムネイルが中央となり、選択サムネイル及び配列が強調されるようにサムネイルを横方向に配置して表示する（Ｓ３１２１）。また、読み出した配列が選択配列でない場合（Ｓ３１０４でＮｏ）、配列に基づき、選択サムネイルと同一コンテンツを指すサムネイルが中央（選択サムネイルと縦方向に並ぶ位置）になるようにサムネイルを横方向に配置して表示する（Ｓ３１０５）。そして、Ｓ３１０５又はＳ３１２１で表示した後、Ｓ３１０６において、配列が残っていれば、Ｓ３１０３に戻り、上述の処理を繰り返す。
【０１３９】
一方、Ｓ３１０６において、配列が残っていない（終了した）場合、Ｓ３１０７へ処理を進める。Ｓ３１０７では、操作指示を取得し、横スクロール指示の場合（Ｓ３１０８でＹｅｓ）、選択サムネイルをスクロール方向に応じて変更し（Ｓ３１３１）、Ｓ３１０３から繰り返す。また、横スクロール指示でなく（Ｓ３１０８でＮｏ）、縦方向移動指示の場合（Ｓ３１０９でＹｅｓ）、選択配列をその移動方向に応じて変更し（Ｓ３１４１）、Ｓ３１０３から繰り返す。
【０１４０】
また、縦方向移動指示でなく（Ｓ３１０９、Ｎｏ）、操作メニュー表示指示の場合（Ｓ３１１０でＹｅｓ）、選択サムネイルに応じて操作メニューを配置して表示する（Ｓ３１５１）。そして、詳細は後述するコンテンツ操作処理を行い（Ｓ３１５２）、Ｓ３１０７に戻る。また、操作メニュー表示指示でなく（Ｓ３１１０でＮｏ）、停止指示の場合（Ｓ３１１１でＹｅｓ）、この処理を終了する。しかし、停止指示でない場合（Ｓ３１１１でＮｏ）、Ｓ３１０７に戻る。尚、停止指示は、不図示の電源ボタンの押下により行われるものとする。
【０１４１】
図３２は、第２の実施形態におけるコンテンツ操作処理を示すフローチャートである。まず、操作メニューで決定された操作指示を取得する（Ｓ３２０１）。ここで、操作指示が選択コンテンツの再生指示の場合（Ｓ３２０２でＹｅｓ）、その選択コンテンツの再生を行い（Ｓ３２２１）、この処理から戻る。また、選択コンテンツの再生指示でない場合（Ｓ３２０２でＮｏ）、Ｓ３２０３へ処理を進める。ここで、操作指示が選択コンテンツのプレイリスト追加指示の場合（Ｓ３２０３でＹｅｓ）、選択コンテンツをプレイリストに追加し（Ｓ３２３１）、この処理から戻る。また、選択コンテンツのプレイリスト追加指示でない場合（Ｓ３２０３でＮｏ）、Ｓ３２０４へ処理を進める。
【０１４２】
操作指示が選択コンテンツの削除指示の場合（Ｓ３２０４でＹｅｓ）、選択コンテンツを削除し（Ｓ３２４１）、この処理から戻る。また、選択コンテンツの削除指示でない場合（Ｓ３２０４でＮｏ）、Ｓ３２０５へ処理を進める。ここで、操作指示が選択フレームの再生指示の場合（Ｓ３２０５でＹｅｓ）、選択フレームの動画フレーム情報のコンテンツ名及び位置に基づき、動画コンテンツの頭出しを行い再生し（Ｓ３２５１）、この処理から戻る。また、選択フレームの再生指示でない場合（Ｓ３２０５でＮｏ）、Ｓ３２０６へ処理を進める。
【０１４３】
操作指示が選択フレームのプレイリスト追加指示の場合（Ｓ３２０６でＹｅｓ）、動画コンテンツ内での指定された区間をプレイリストに追加し（Ｓ３２６１）、この処理から戻る。また、選択フレームのプレイリスト追加指示でない場合（Ｓ３２０６でＮｏ）、Ｓ３２０７へ処理を進める。ここで、選択フレームの削除指示の場合（Ｓ３２０７でＹｅｓ）、動画コンテンツ内での指定された区間を削除し（Ｓ３２７１）、この処理から戻る。また、選択フレームの削除指示でない場合（Ｓ３２０７でＮｏ）、Ｓ３２０８へ処理を進める。
【０１４４】
ここで、操作指示が選択フレームの範囲開始点設定指示の場合（Ｓ３２０８、Ｙｅｓ）、選択フレームを範囲開始点として記憶し（Ｓ３２８１）、この処理から戻る。
【０１４５】
尚、Ｓ３２６１及びＳ３２７１における区間とは、動画コンテンツの選択フレームより前の区間であるか、後ろの区間であるか、範囲指定された区間であるかの何れかであり、操作指示と共に指定される。
【０１４６】
第２の実施形態によれば、コンテンツのサムネイル配列でスクロールを行うと、配列に対応する動画フレームのサムネイルが表示されるため、動画フレームの内容を確認しながらコンテンツの選択が可能になる。
【０１４７】
また、動画フレームを選択したい場合には、コンテンツの選択と同様に、配列の移動操作とスクロール操作で選択できるため、操作性が向上する。
【０１４８】
更に、動画フレームをスクロールして選択すると、他の配列には対応する動画コンテンツを中心として関連するコンテンツのサムネイルが表示され、更に他の配列にはそれらの動画フレームのサムネイルが表示されるため、関連するフレームの選択が容易になる。
【０１４９】
［第２の実施形態の変形例１］
次に、図面を参照しながら本発明に係る第２の実施形態の変形例１を詳細に説明する。尚、ハードウェア構成、機能構成、赤外線リモコン、コンテンツ情報、動画フレーム情報、配列は、操作メニュー、プレリスト情報は、コンテンツ操作処理は、第２の実施形態と同様である。
【０１５０】
図３３は、第２の実施形態の変形例１におけるユーザインタフェース画面の一例を示す図である。図３３に示すように、このユーザインタフェース画面３３００では、“日付順（フレーム表示）”、“人物順”、“場所順”、“イベント順”の４つの配列がそれぞれ表示される。
【０１５１】
図３４は、ユーザインタフェース画面３３００の縦移動後のユーザインタフェース画面の一例を示す図である。図３４に示すように、このユーザインタフェース画面３４００では、ユーザインタフェース画面３３００で選択配列である“日付順（フレーム表示）”の配列の位置に“日付順”の配列が表示される。そして、“人物順”の配列の位置に“人物順（フレーム表示）”の配列が新たな選択配列として表示される。
【０１５２】
変形例１では、図３３及び図３４に示すように、選択される配列はフレーム表示の配列であり、選択配列と同一の順序条件を持つコンテンツのみの配列は表示されないよう動作する。
【０１５３】
図３５は、第２の実施形態の変形例１における処理を示すフローチャートである。尚、Ｓ３５０１〜Ｓ３５１１、Ｓ３５２１〜Ｓ３５５２の処理は、第２の実施形態で説明した図３１に示すＳ３１０１〜Ｓ３１１１、Ｓ３１２１〜Ｓ３１５２の処理と同様である。
【０１５４】
ここでは、第２の実施形態における処理と相違する処理について説明する。配列を生成し、選択サムネイルを決定した後、読み出した配列が選択配列でない場合（Ｓ３５０４でＮｏ）、Ｓ３５６１へ処理を進める。Ｓ３５６１では、配列が選択配列と同一順序条件か否かを判定する。ここで、同一順序条件でない場合（Ｓ３５６１でＮｏ）、配列に基づきサムネイルを横方向に配置して表示する（Ｓ３５０５）。しかし、配列が選択配列と同一順序条件の場合（Ｓ３５６１でＹｅｓ）、Ｓ３５０５の処理を行うことなく、Ｓ３５０６へ処理を進める。
【０１５５】
変形例１によれば、限られた表示領域でより多くの順序条件の配列を表示可能となり、関連した動画コンテンツ内の動画フレームを選択する場合の操作性が向上する。
【０１５６】
［第２の実施形態の変形例２］
次に、図面を参照しながら本発明に係る第２の実施形態の変形例２を詳細に説明する。尚、ハードウェア構成、機能構成、赤外線リモコン、コンテンツ情報、動画フレーム情報、配列は、操作メニュー、プレリスト情報は、コンテンツ操作処理は、第２の実施形態と同様である。
【０１５７】
図３６は、第２の実施形態の変形例２におけるユーザインタフェース画面の一例を示す図である。図３６に示すように、ユーザインタフェース画面３６００では、“日付順（フレーム表示）”、“日付順”、“人物順（フレーム表示）”、“人物順”の４つの配列が表示される。ここで、選択配列以外の配列において、選択サムネイルと同一コンテンツを指すサムネイルは表示されず、それぞれの順序条件に基づく情報、ここでは人物情報３６０１、３６０２、日付情報３６０３が表示される。また、“人物順（フレーム表示）”の配列では、“video1-frame2”、“video1-frame3”も表示されず、それらの位置に隣接する“video5-frame1”、“video5-frame2”が表示される。
【０１５８】
図３７は、ユーザインタフェース画面３６００の縦移動後のユーザインタフェース画面の一例を示す図である。図３７に示すように、このユーザインタフェース画面３７００では、選択配列が“人物順（フレーム表示）”の配列に変更される。そして、表示されていなかった“video1-frame1”、“video1-frame2”、“video1-frame3”が表示される。
【０１５９】
図３６及び図３７に示すように、選択サムネイルと同一サムネイル及び同一コンテンツの動画フレームのサムネイルは表示されず、隣接する他のコンテンツのサムネイルを表示するように動作する。
【０１６０】
図３８は、第２の実施形態の変形例２における処理を示すフローチャートである。尚、Ｓ３８０５以外の処理は、第２の実施形態で説明した図３１に示す処理と同様である。
【０１６１】
配列を生成し、選択サムネイルを決定した後、読み出した配列が選択配列でない場合（Ｓ３８０４でＮｏ）、配列に基づき、選択サムネイルと同一コンテンツを指すサムネイルが中央となり、その位置には対応する順序条件の情報を配置する。そして、更に同一コンテンツをサムネイルを除き、サムネイルを横方向に配置して表示する（Ｓ３８０５）。
【０１６２】
第２の実施形態によれば、シーンを確認しながら動画コンテンツの選択を行え、コンテンツへの操作と同一の操作でシーンを選択でき、再生や編集が可能となる。従って、動画コンテンツのシーンに対する操作性が向上する。
【０１６３】
［第３の実施形態］
次に、図面を参照しながら本発明に係る第３の実施形態を詳細に説明する。
【０１６４】
近年、コンピュータ技術の発達と共に、テレビ画面のような非ＰＣ装置で、手軽に静止画や動画といったコンテンツを格納装置に保管し、ディスプレィで再生して楽しむことができるようになってきた。
【０１６５】
このような環境が普及するに伴い、格納するコンテンツの量が膨大に増えてきている。そのため、コンテンツをどこに格納したのか分からなくなり、所望のコンテンツの取り出しが困難になるという事態が発生している。また、格納したコンテンツが格納装置に保管されたまま、再生されることなく、死蔵されるコンテンツも増えてきているという問題がある。
【０１６６】
また、テレビ画面に操作画面を表示する場合、ＰＣの操作画面と比較して視覚的な良好さと操作の簡単さが必要である。
【０１６７】
このような問題を解決するために、Windows（登録商標）Media Center（ＷＭＣ）では、従来のファイルアクセスを簡略化してリモコンの十字キーで階層構造を辿り、コンテンツアクセスを可能にしている。また、クロスメディアバー（登録表示）（ＸＭＢ）では、メディアアイコンとコンテンツアイコンを十字型に配置し、直感的にコンテンツの選択を可能にしている。
【０１６８】
また、コンテンツを整理してグループ化することにより、コンテンツを探し易くするという方法もある。この場合、グループ化されたコンテンツグループを１つのアイコンなどで表示する。このとき、コンテンツグループのアイコンは、そのコンテンツグループ内の代表コンテンツの画像から、又は一部或いは全部のコンテンツの画像から作成することが多かった。
【０１６９】
しかしながら、コンテンツの一覧表示を表示する場合、コンテンツを探し易くするため、様々な順序に従って表示を行うが、その都度、表示を切り替えて行っていたため、効率的にユーザにデータ一覧を見せることができなかった。
【０１７０】
こうした中で、コンテンツのサムネイルをジャンル毎に区分し、その代表となるコンテンツのサムネイルを一列に配置して表示させ、左右キーでジャンルを選択し、上下キーでジャンル内のコンテンツのサムネイルを表示させて選択するというものが存在する。
【０１７１】
また、コンテンツ及びコンテンツグループの画像をある配列に並べて表示し、そのうちの１つのコンテンツ又はコンテンツグループを第一の操作で選択できる。そして、コンテンツグループが選択された際には、それと同一グループ内のコンテンツの画像が表示され、更にそのグループ内のコンテンツが第二の操作で選択できる。再び第一の操作で配列上のコンテンツ及びコンテンツグループを選択しようとした場合、第二の操作で最後に選択したコンテンツがグループの画像として表示されるといったシステムも存在する。
【０１７２】
また、グループ毎に纏められたコンテンツグループにおいて、順序データに基づきコンテンツを配列して表示し、コンテンツを選択できるようにする。その際に、グループ名を表示したり、個々のコンテンツを選択した際に、配列中のどの位置にあるかを表示したりするといったシステムも存在する。
【０１７３】
また、動画コンテンツは、静止画コンテンツとは異なり、時間軸が存在するため、その概要の把握や必要なフレーム（シーン）を指定して再生や編集を行うには、静止画コンテンツの場合とは異なった機能が必要になる。
【０１７４】
このような機能として最も一般的な機能は、動画の再生、早送り、巻き戻しを行うことである。
【０１７５】
また、動画コンテンツ内のフレームの特性を解析して境界部を判定し、境界部で分割された区間で代表的なフレームの静止画を一覧表示し、静止画を指定して区間の編集等の操作を行うことが知られている。
【０１７６】
また、チャプタと呼ばれる頭出し点が設定された動画コンテンツに対してチャプタ表示が指示されると、チャプタ表示画面が表示されることが知られている。チャプタ表示画面には、動画コンテンツの選択された区間が繰り返し動画で表示され、更に前後のチャプタに対応するサムネイル（縮小画像）が表示される。
【０１７７】
しかしながら、ＷＭＣ及びＸＭＢは所望のコンテンツまでアクセス方法を改善しているものの、選んだコンテンツに関連したコンテンツを認識することができない。そのため、ユーザは次に閲覧するコンテンツを思い浮かべてから最も良い検索方法を考えながら操作することを強いられている。
【０１７８】
また、コンテンツを視覚検索する際に、概要を把握するため、また所望のコンテンツに早くたどり着くためにコンテンツをグループ化して表示する。しかし、このグループ化を行う際に、検索する手順によってさまざまなグループ化の条件があり、これらを、画面を切り替えたり、単純な一覧表示をしたりしていると、コンテンツ一覧の把握や容易な視覚検索ができなかった。
【０１７９】
また、各コンテンツグループアイコン配列において、どのコンテンツグループアイコン配列が基準となって配置されているかがわからなかった。
【０１８０】
また、ＷＭＣでは、異なる階層グループに存在するコンテンツにアクセスするためには、階層を戻って選択しなおす必要がある。また、更なる階層を表現する場合に表示上破綻をきたしてしまう。
【０１８１】
また、コンテンツが動画の場合、従来技術では、動画コンテンツを選択しながらコンテンツ内の必要なシーンを見つけ出して再生や編集を行う場合には操作が煩雑になるという問題がある。例えば、コンテンツを管理する画面で検索やソートを行い所望のコンテンツグループを絞り込み、それらから順じコンテンツを選んでチャプタ表示画面に切り替えて必要なシーンを選ばなければならない。絞り込んだ全てのコンテンツのシーンを表示することも考えられるが、他のコンテンツのシーンを加えたくなった場合には、同様の操作が必要になる。また、全てのコンテンツのシーンを表示することも考えられるが、シーン数が多くなり、必要なシーンの選択が困難になってしまうという問題があった。
【０１８２】
第３の実施形態は、コンテンツ表示装置において、複数の動画コンテンツからシーンを選択する際の操作性を向上させることを目的とする。
【０１８３】
図３９は、第３の実施形態におけるコンテンツ表示装置のハードウェア構成の一例を示すブロック図である。図３９において、３９０１は操作入力を行うための操作部である。３９０２はＣＰＵであり、各種処理のための演算や論理判断等を行い、またバス３９０６に接続された各構成要素の制御を行い、更に表示データを作成し、表示出力部に出力する表示制御部も兼ねている。３９０３は表示データを出力する表示出力部である。この表示出力部３９０３としては、ビットマップイメージを出力できるＬＣＤを使用しているが、ＣＲＴ等のディスプレイでも良い。
【０１８４】
３９０４はプログラムメモリであり、後述するフローチャートの処理手順を含むＣＰＵ３９０２による制御のためのプログラムを記録したメモリである。尚、プログラムメモリ３９０４は、ＲＯＭであっても良いし、処理に先立って外部記憶装置等からプログラムがロードされるＲＡＭであっても良い。
【０１８５】
３９０５は格納部であり、コンテンツやコンテンツアイコン等の表示データや各種処理で生じたデータを格納する。尚、格納部３９０５は、ＲＡＭとするが、ハードディスクや不揮発な外部記憶媒体でも良い。その場合、処理に先立ってロードしておく、或いは必要があるごとに参照するものとする。
【０１８６】
３９０６はバスであり、ＣＰＵ３９０２が制御する各構成要素を指示するアドレス信号、各構成要素を制御するためのコントロール信号、各構成要素間で相互にやりとりされるデータの転送を行う。
【０１８７】
図４０は、第３の実施形態におけるコンテンツ表示画面の構成の一例を示す図である。図４０において、４００１は横方向にDateというカテゴリで分類された静止画コンテンツの代表静止画を示すサムネイルである。４００２は横方向にDateというカテゴリで分類された静止画のサムネイルである。代表静止画のサムネイル４００１は、他の静止画のサムネイル４００２の代表であるため、比較的サイズが大きくなっている。
【０１８８】
４０１１は横方向にLocationというカテゴリで分類された静止画コンテンツの代表静止画を示すサムネイルである。尚、４０１１は４００１と同じ静止画を指し示すサムネイルであるが、三次元上の奥に静止画が置かれているようにみせるため、４００１に比べ若干サイズが小さくなり、４００１よりも右上に配置されている。４０１１は異なるサイズ、異なる位置であっても構わない。
【０１８９】
４０１２は横方向にLocationというカテゴリで分類された静止画のサムネイルである。代表静止画のサムネイル４０１１は、他の静止画のサムネイル４０１２の代表であるため、比較的サイズが大きくなっている。
【０１９０】
４０２１は横方向にEventというカテゴリで分類された静止画コンテンツの代表静止画を示すサムネイルである。尚、４０２１は４０１１と同じ静止画を指し示すサムネイルであるが、三次元上の奥に静止画が置かれているようにみせるために、４０１１に比べ若干サイズが小さくなり、４０１１よりも右上に配置されている。４０２１は異なるサイズ、異なる位置であっても構わない。
【０１９１】
４０２２は横方向にLocationというカテゴリで分類された静止画のサムネイルである。代表静止画のサムネイル４０２１は、他の静止画のサムネイル４０２２の代表であるため、比較的サイズが大きくなっている。
【０１９２】
第３の実施形態では、Date、Location、Eventという３つのカテゴリで分類する例を示したが、更にPeopleというカテゴリを付け加えるなど、２つ上のカテゴリであればいくつでも良い。また、コンテンツとして静止画を紹介しているが、音楽などの他のコンテンツでも良い。
【０１９３】
尚、カテゴリで分類し、共通の代表画面をもち、カテゴリを跨いでコンテンツを容易に探し出すことができるが、最初にこの画面を見たとき、共通の代表画面が同一コンテンツを指し示すことを理解するのが容易でない場合もある。
【０１９４】
そこで、第３の実施形態では、コンテンツ表示画面が表示される際に、動的なアニメーションを用いて順次表示することにより、共通の代表画面が同一のコンテンツを指し示すことを理解するのが容易になるようにしている。
【０１９５】
図４０に示すコンテンツ表示画面が表示される際に、動的なアニメーションを用いて、第３の実施形態の画面構成を順次表示する様子を、図４１〜図５７を用いて説明する。
【０１９６】
図４１は、第３の実施形態における最初に表示される表示画面の画面構成例を示す図である。図４１に示すように、Dateというカテゴリに含まれる基準となるコンテンツである代表静止画を示すコンテンツアイコンとなる静止画のサムネイル４１０１が画面の最下部の中央に表示される。そして、Dateというカテゴリに含まれる静止画の配列のサムネイル４１０２が基準となるサムネイル４１０１の左右に並べて表示される。
【０１９７】
次に、基準となる代表静止画を示すサムネイル４１０１の複製イメージ４２０１が作成され、図４２に示すように、代表静止画を示すサムネイル４１０１に重ねて表示される。そして、図４３及び図４４に示すように、複製イメージ４２０１はサイズが小さくなりながら画面上へ移動し、順次表示され、図４４に示すように、代表静止画を示すサムネイル４１０１と並んで表示される位置で停止する。ここで、複製イメージ４２０１を基準サムネイルと呼称する。
【０１９８】
次に、図４５に示すように、Locationというカテゴリに含まれる静止画の配列のサムネイル４５０１が基準サムネイル４２０１の位置に表示され、基準サムネイル４２０１の左右に分かれて移動する。そして、図４６に示すように、サムネイル４５０１は、基準サムネイル４２０１と並んで表示される位置で停止する。
【０１９９】
次に、図４７に示すように、Locationというカテゴリに含まれる静止画の配列のサムネイル４７０１が基準サムネイル４２０１の位置に表示され、図４８に示すように、基準サムネイル４２０１の左右に分かれて移動する。そして、図４９に示すように、サムネイル４７０１は、サムネイル４５０１と並んで表示される位置で停止する。
【０２００】
次に、図５０に示すように、基準となる代表静止画を示すサムネイル４１０１の場合と同様に、基準サムネイル４２０１の複製イメージ５００１が作成され、基準サムネイル４２０１に重ねて表示される。そして、図５１に示すように、複製イメージ５００１は画面上へ移動し、順次表示され、図５２に示すように、基準サムネイル４２０１と並んで表示される位置で停止する。ここで、複製イメージ５００１を基準サムネイルと呼称する。
【０２０１】
次に、図５３に示すように、Eventというカテゴリに含まれる静止画の配列のサムネイル５３０１が基準サムネイル５００１の位置に表示され、基準サムネイル５００１の左右に分かれて移動する。そして、図５４に示すように、サムネイル５３０１は、基準サムネイル５００１と並んで表示される位置で停止する。
【０２０２】
次に、図５５に示すように、Eventというカテゴリに含まれる静止画の配列のサムネイル５５０１が基準サムネイル５００１の位置に表示され、図５６に示すように、基準サムネイル５００１の左右に分かれて移動する。そして、図５７に示すように、サムネイル５５０１は、サムネイル５３０１と並んで表示される位置で停止する。
【０２０３】
第３の実施形態では、３つのカテゴリを設け、３列の表示の場合を説明したが、カテゴリは、２つ以上あれば良く、３列以上の場合も同様の動作により順次表示を行う。
【０２０４】
ここで、上述した動的なアニメーションを用いてコンテンツ表示画面を表示する処理を、図５８を用いて説明する。この処理は、ＣＰＵ３９０２がプログラムメモリ３９０４に記録されたプログラムに従って格納部３９０５に格納されたコンテンツやコンテンツアイコンの表示データを生成し、表示出力部３９０３に表示させる処理である。
【０２０５】
図５８は、第３の実施形態における画面表示処理を示すフローチャートである。まず、処理を開始すると、Ｓ５８０１で最初のカテゴリを設定する。そして、Ｓ５８０２では、Ｓ５８０１で設定されたカテゴリの基準となる代表画像のサムネイル（代表サムネイル）を表示する。次に、Ｓ５８０３では、代表画像以外の画像のサムネイルを代表サムネイル上に表示する。
【０２０６】
次に、Ｓ５８０４で、代表サムネイル上のサムネイルを移動し、Ｓ５８０５で目的座標に達するまでＳ５８０４に処理を戻し、移動を繰り返す。その後、目的座標に達すると、Ｓ５８０６へ処理を進め、次のカテゴリを設定する。そして、Ｓ５８０７で次に表示するカテゴリがあるか否かを判定し、カテゴリがない場合には、この処理を終了する。
【０２０７】
一方、Ｓ５８０７で次に表示するカテゴリがある場合には、Ｓ５８０８へ処理を進め、設定カテゴリの代表画像のサムネイルの複製イメージを作成する。そして、Ｓ５８０９で複製イメージを元のサムネイルの位置に表示する。
【０２０８】
次に、Ｓ５８１０で、複製イメージを移動し、Ｓ５８１１で目的座標に達するまでＳ５８１０に処理を戻し、移動を繰り返す。その後、目的座標に達すれば、Ｓ５８０３に処理を戻し、次に表示するカテゴリがなくなるまで、上述の処理を繰り返す。
【０２０９】
［第３の実施形態の変形例１］
次に、図面を参照しながら本発明に係る第３の実施形態の変形例１を詳細に説明する。尚、第３の実施形態の変形例１におけるコンテンツ表示装置の構成は、第３の実施形態で説明した図３９に示す構成と同様である。また、コンテンツ表示画面の構成も第３の実施形態で説明した図４０に示す構成と同様である。
【０２１０】
ここで、動的なアニメーションの順序が異なる第３の実施形態の変形例１における順次表示する様子を、図５９〜図７５を用いて説明する。
【０２１１】
図５９は、第３の実施形態の変形例１における最初に表示される表示画面の画面構成例を示す図である。図５９に示すように、Dateというカテゴリに含まれる基準となるコンテンツである代表静止画を示すコンテンツアイコンとなる静止画のサムネイル５９０１が画面の最下部の中央に表示される。そして、Dateというカテゴリに含まれる静止画の配列のサムネイル５９０２が基準となるサムネイル５９０１の左右に並べて表示される。
【０２１２】
次に、基準となる代表静止画を示すサムネイル５９０１の複製イメージ６００１が作成され、図６０に示すように、代表静止画を示すサムネイル５９０１に重ねて表示される。そして、図６０及び図６１に示すように、複製イメージ６００１はサイズが小さくなりながら画面上へ移動し、順次表示され、図６２に示すように、代表静止画を示すサムネイル５９０１と並んで表示される位置で停止する。
【０２１３】
次に、複製イメージ６００１の更なる複製イメージ６３０１が作成され、図６３に示すように、複製イメージ６００１に重ねて表示される。そして、図６３及び図６４に示すように、更なる複製イメージ６３０１はサイズが小さくなりながら画面上へ移動し、順次表示され、図６５に示すように、複製イメージ６００１と並んで表示される位置で停止する。
【０２１４】
次に、図６６に示すように、Locationというカテゴリに含まれる静止画の配列のサムネイル６６０１が基準となる複製イメージ６００１の位置に表示され、サムネイル６６０１は左右に分かれて移動する。そして、図６７に示すように、サムネイル６６０１は、複製イメージ６００１と並んで表示される位置で停止する。
【０２１５】
次に、図６８に示すように、Locationというカテゴリに含まれる静止画の配列のサムネイル６８０１が複製イメージ６００１の位置に表示され、図６８及び図６９に示すように、複製イメージ６００１の左右に分かれて移動する。そして、図７０に示すように、サムネイル６８０１は、サムネイル６６０１と並んで表示される位置で停止する。
【０２１６】
次に、図７１に示すように、Eventというカテゴリに含まれる静止画の配列のサムネイル７１０１が更なる複製イメージ６３０１の位置に表示され、左右に分かれて移動する。そして、図７２に示すように、サムネイル７１０１は、更なる複製イメージ２５０１と並んで表示される位置で停止する。
【０２１７】
次に、図７３に示すように、Eventというカテゴリに含まれる静止画の配列のサムネイル７３０１が更なる複製イメージ６３０１の位置に表示され、図７３及び図７４に示すようにサムネイル７１０１の左右に分かれて移動する。そして、図７５に示すように、サムネイル７３０１は、サムネイル７１０１と並んで表示される位置で停止する。
【０２１８】
ここで、動的なアニメーションを用いてコンテンツ表示画面を表示する第３の実施形態の変形例１における処理を、図７６を用いて説明する。
【０２１９】
図７６は、第３の実施形態の変形例１における画面表示処理を示すフローチャートである。まず、処理を開始すると、Ｓ７６０１で最初のカテゴリを設定する。そして、Ｓ７６０２では、設定されたカテゴリの代表画像のサムネイルとそれ以外の画像のサムネイルを表示する。
【０２２０】
次に、Ｓ７６０３で、次のカテゴリを設定する。そして、Ｓ７６０４でカテゴリがある場合は、Ｓ７６０５へ処理を進め、設定カテゴリの代表画像のサムネイルの複製イメージを作成する。そして、Ｓ７６０６で複製イメージを元のサムネイルの位置に表示する。
【０２２１】
次に、Ｓ７６０７で、複製イメージをサイズを小さくして移動させ、Ｓ７６０８で目標座標に達するまでＳ７６０７に処理を戻し、移動を繰り返す。その後、目標座標に達していれば、Ｓ７６０３に処理を戻し、他のカテゴリの代表画像のサムネイルを配置する。
【０２２２】
一方、Ｓ７６０４で、次のカテゴリがない場合には、Ｓ７６０９へ処理を進め、最初のカテゴリに戻る。そして、Ｓ７６１０で次のカテゴリを設定し、Ｓ７６１１でカテゴリがある場合には、Ｓ７６１２で代表画像以外のサムネイルを代表画像上に表示する。
【０２２３】
次に、Ｓ７６１３で、代表画像以外のサムネイルを移動させ、Ｓ７６１４で目標座標に達するまでＳ７６１３に処理を戻し、移動を繰り返す。その後、目標座標に達していれば、Ｓ７６１０に処理を戻し、次のカテゴリがなくなるまで、上述の処理を繰り返し、なくなると、この処理を終了する。
【０２２４】
［第３の実施形態の変形例２］
次に、図面を参照しながら本発明に係る第３の実施形態の変形例２を詳細に説明する。尚、第３の実施形態の変形例２におけるコンテンツ表示装置の構成は、第３の実施形態で説明した図３９に示す構成と同様である。
【０２２５】
図７７は、第３の実施形態の変形例２におけるコンテンツ表示画面の構成の一例を示す図である。図７７において、７７０１は横方向にDateというカテゴリで分類された静止画の代表静止画を示すサムネイルである。７７０３はDateというカテゴリで分類された静止画のサムネイルである。７７０２は同じカテゴリで分類されたサムネイルのグループである。
【０２２６】
図７７に示すように、横方向にDateのグループが並び、縦方向にLocation及びEventのグループが並んでいる。また、Location及びEventは、Dateに比べて三次元での奥行きを表すため、若干サイズが小さめに表示され、右上に置かれている。
【０２２７】
ここで、図７７に示すコンテンツ表示画面が表示される際に、動的なアニメーションを用いて、第３の実施形態の変形例２の画面構成を順次表示する様子を、図７８〜図８６を用いて説明する。
【０２２８】
図７８は、第３の実施形態の変形例２における最初に表示される表示画面の画面構成例を示す図である。図７８に示すように、Dateというカテゴリに含まれる基準となるコンテンツである代表静止画を示すコンテンツアイコンとなる静止画のサムネイル（代表サムネイル）７８０１が画面の最下部の中央に表示される。そして、代表サムネイル７８０１を含むグループが表示され、グループの配列がその左右に表示される。
【０２２９】
次に、代表サムネイル７８０１の複製イメージ７９０１が表示され、図７９に示すように、代表サムネイル７８０１と同じ位置に表示される。その後、複製イメージ７９０１は図８０に示すように、サイズが若干小さくなり上方に移動する。
【０２３０】
そして、図８１に示すように、複製イメージ７９０１は所定の位置に来ると移動を停止する。その後、図８２に示すように、代表サムネイル７８０１を含むグループ８２０１が形成される。次に、図８３に示すように、Locationのグループ８３０１の配列が形成される。次に、図８４に示すように、複製イメージ７９０１は、更にサイズを小さくしながら上方に移動し、所定の位置で停止し、図８５に示すように、グループ８５０１を形成し、図８６に示すように、Eventのグループ８６０１の配列を形成する。
【０２３１】
ここで、上述した動的なアニメーションを用いてコンテンツ表示画面を表示する処理を、図８７を用いて説明する。
【０２３２】
図８７は、第３の実施形態の変形例２における画面表示処理を示すフローチャートである。まず、処理を開始すると、Ｓ８７０１で最初のカテゴリを設定する。そして、Ｓ８７０２では、Ｓ８７０１で設定されたカテゴリの代表画像のサムネイルを表示する。次に、Ｓ８７０３で代表画像を含むグループを形成する。
【０２３３】
次に、Ｓ８７０４で、代表サムネイル以外の画像を代表サムネイル上に表示する。そして、Ｓ８７０５で代表サムネイル以外の画像のサムネイルを移動し、Ｓ８７０６で目的座標に達するまでＳ８７０５に処理を戻し、移動を繰り返す。その後、目的座標に達すると、Ｓ８７０７へ処理を進め、移動した画像を含むグループを形成する。
【０２３４】
次に、Ｓ８７０７で、次のカテゴリを設定する。そして、Ｓ８７０８で次のカテゴリがない場合には、この処理を終了する。一方、次のカテゴリがある場合には、Ｓ８７１０へ処理を進め、設定カテゴリの代表画像のサムネイルの複製イメージを作成する。そして、Ｓ８７１１で複製イメージを元のサムネイル位置に表示する。
【０２３５】
次に、Ｓ８７１２で複製イメージを移動し、Ｓ８７１３で目的座標に達するまでＳ８７１２に処理を戻し、移動を繰り返す。その後、目的座標に達すれば、Ｓ８７０３に処理を戻し、次のカテゴリがなくなるまで、上述した処理を繰り返す。
【０２３６】
［第３の実施形態の変形例３］
次に、図面を参照しながら本発明に係る第３の実施形態の変形例３を詳細に説明する。尚、第３の実施形態の変形例３におけるコンテンツ表示装置の構成は、第３の実施形態で説明した図３９に示す構成と同様である。
【０２３７】
図８８は、第３の実施形態の変形例３におけるコンテンツ表示画面の構成の一例を示す図である。図８８において、８８０１は横方向にDateというカテゴリで分類された静止画コンテンツの代表静止画を示すサムネイルである。８８０２はDateというカテゴリで分類された代表静止画以外の静止画のサムネイルである。
【０２３８】
尚、第３の実施形態の変形例２と異なり、Dateのカテゴリはグループになっておらず、静止画の配列となっている。
【０２３９】
また、アニメーション動作の様子及びフローチャートは、第３の実施形態の変形例２と同様であるので省略する。
【０２４０】
［第３の実施形態の変形例４］
次に、図面を参照しながら本発明に係る第３の実施形態の変形例３を詳細に説明する。尚、第３の実施形態の変形例３におけるコンテンツ表示装置の構成は、第３の実施形態で説明した図３９に示す構成と同様である。
【０２４１】
図８９は、第３の実施形態の変形例４におけるコンテンツ表示画面の構成の一例を示す図である。図８９において、８９０１は代表動画フレームを示す動画フレームアイコンである。８９０２は代表動画フレーム以外の動画フレームを示す動画フレームアイコンである。８９１１は代表動画コンテンツを示す動画アイコンである。８９１２は代表動画コンテンツ以外の動画コンテンツアイコンである。
【０２４２】
尚、アニメーション動作の様子及びフローチャートは、第３の実施形態と同様であり、その説明は省略する。
【０２４３】
以上説明した実施形態によれば、異なるソート順で並べられたコンテンツアイコン配列を複数配列することで、簡単に且つ直感的に所望のコンテンツに到達することができる。更に、注目しているコンテンツに関連したコンテンツを同一画面上に配置することで、注目しているコンテンツに関連するコンテンツを視覚的に認識することが可能となり、関連したコンテンツに簡単にアクセスすることができる。
【０２４４】
また、様々な条件でグループ化されたコンテンツグループを、関連性を持たせて一覧表示することができ、概要を把握することができる。そして、容易な視覚検索をすることができ、基準となるコンテンツグループアイコン配列、コンテンツグループアイコン、更にコンテンツを明確に把握することができ、コンテンツ一覧の概要把握、容易な視覚検索を行うことができる。
【０２４５】
ある順序条件で並べられたコンテンツ配列と、同一の順序条件で並べられたコンテンツグループ配列を、あるコンテンツを指すコンテンツアイコンとコンテンツを含むコンテンツグループのコンテンツグループアイコンとが並ぶように同一画面上に配置する。これにより、異なる粒度で集められたコンテンツグループ及びコンテンツを視覚的に認識でき、所望のコンテンツ近傍に存在するコンテンツを全体的に把握できる。
【０２４６】
また、複数の列に表示された同一のコンテンツを指し示すコンテンツアイコンが同一であることを順次移動表示するアニメーションを用いて表現することにより、ユーザに直感的に分かりやすく表示することができる。
【０２４７】
また、コンテンツが動画の場合には、シーンを確認しながら動画コンテンツの選択を行え、コンテンツへの操作と同一の操作でシーンを選択でき、再生が可能となるため、動画コンテンツのシーンに対する操作性が向上するという効果がある。
【０２４８】
また、動画フレームアイコンが示す動画フレームが、動画コンテンツアイコンが示す動画コンテンツに含まれることを、順次移動表示するアニメーションを用いて表現することにより、ユーザーに直感的に分かりやすく表示することができる。
【０２４９】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【０２５０】
また、前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行する。これによっても、本発明の目的が達成されることは言うまでもない。
【０２５１】
この場合、記録媒体から読出されたプログラムコード自体が前述した実施形態の機能を実現することになり、そのプログラムコードを記憶した記録媒体は本発明を構成することになる。
【０２５２】
このプログラムコードを供給するための記録媒体として、例えばフレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【０２５３】
また、コンピュータが読出したプログラムコードを実行することにより、前述した実施形態の機能が実現されるだけでなく、次の場合も含まれることは言うまでもない。即ち、プログラムコードの指示に基づき、コンピュータ上で稼働しているＯＳ（オペレーティングシステム）などが実際の処理の一部又は全部を行い、その処理により前述した実施形態の機能が実現される場合である。
【０２５４】
更に、記録媒体から読出されたプログラムコードがコンピュータに挿入された機能拡張ボードやコンピュータに接続された機能拡張ユニットに備わるメモリに書込む。その後、そのプログラムコードの指示に基づき、その機能拡張ボードや機能拡張ユニットに備わるＣＰＵなどが実際の処理の一部又は全部を行い、その処理により前述した実施形態の機能が実現される場合も含まれることは言うまでもない。
【図面の簡単な説明】
【０２５５】
【図１】第１の実施形態におけるコンテンツ検索システムの構成の一例を示す図である。
【図２】図１に示すコンテンツ検索装置１０１及び表示装置１０２のハードウェア構成の一例を示す図である。
【図３】図１に示す操作リモコン装置１０３のハードウェア構成の一例を示す図である。
【図４】、
【図５】、
【図６】コンテンツグループアイコンの表示遷移を説明するための図である。
【図７】確定キー３０５が押された際に、基準コンテンツグループアイコンが指し示すコンテンツアイコンを表示した画面の一例を示す図である。
【図８】基準コンテンツ変更表示画面の一例を示す図である。
【図９】表示部２２４に表示されるユーザインターフェース画面の一例を示す図である。
【図１０】各順序条件でのコンテンツグループアイコン配置を示す図である。
【図１１】第１の実施形態におけるコンテンツグループアイコン選択処理を示すフローチャートである。
【図１２】第１の実施形態における基準コンテンツ選択処理を示すフローチャートである。
【図１３】グループ条件毎に絞込みを行うユーザインターフェース画面の一例を示す図である。
【図１４】グループ条件毎の絞込み配列のコンテンツグループ配置の一例を示す図である。
【図１５】図１３に示すユーザインターフェース画面からグループ毎に絞込みを行い、遷移した状態を示す図である。
【図１６】第１の実施形態における絞込みコンテンツグループアイコン選択処理を示すフローチャートである。
【図１７】第２の実施形態におけるコンテンツ再生編集装置のハードウェア構成の一例を示す図である。
【図１８】第２の実施形態におけるコンテンツ再生編集装置の機能構成の一例を示す図である。
【図１９】第２の実施形態における赤外線リモコン１７２０の構成の一例を示す図である。
【図２０】第２の実施形態におけるコンテンツ情報の一例を示す図である。
【図２１】第２の実施形態における動画フレーム情報の一例を示す図である。
【図２２】第２の実施形態における配列情報の一例を示す図である。
【図２３】第２の実施形態におけるフレーム表示レベルの配列情報の一例を示す図である。
【図２４】第２の実施形態におけるユーザインタフェース画面の一例を示す図である。
【図２５】第２の実施形態におけるユーザインタフェース画面２４００を横スクロールさせた後のユーザインタフェース画面の一例を示す図である。
【図２６】第２の実施形態におけるユーザインタフェース画面２５００を縦方向に移動させた後のユーザインタフェース画面の一例を示す図である。
【図２７】第２の実施形態におけるユーザインタフェース画面２６００で横スクロールさせた後のユーザインタフェース画面の一例を示す図である。
【図２８】第２の実施形態におけるコンテンツに対する操作メニューを表示中のユーザインタフェース画面の一例を示す図である。
【図２９】第２の実施形態における動画フレームに対する操作メニューを表示中のユーザインタフェース画面の一例を示す図である。
【図３０】第２の実施形態におけるプレイリスト情報の一例を示す図である。
【図３１】第２の実施形態におけるコンテンツ再生編集装置の処理を示すフローチャートである。
【図３２】第２の実施形態におけるコンテンツ操作処理を示すフローチャートである。
【図３３】第２の実施形態の変形例１におけるユーザインタフェース画面の一例を示す図である。
【図３４】ユーザインタフェース画面３３００の縦移動後のユーザインタフェース画面の一例を示す図である。
【図３５】第２の実施形態の変形例１における処理を示すフローチャートである。
【図３６】第２の実施形態の変形例２におけるユーザインタフェース画面の一例を示す図である。
【図３７】ユーザインタフェース画面３６００の縦移動後のユーザインタフェース画面の一例を示す図である。
【図３８】第２の実施形態の変形例２における処理を示すフローチャートである。
【図３９】第３の実施形態におけるコンテンツ表示装置のハードウェア構成の一例を示すブロック図である。
【図４０】第３の実施形態におけるコンテンツ表示画面の構成の一例を示す図である。
【図４１】、
【図４２】、
【図４３】、
【図４４】、
【図４５】、
【図４６】、
【図４７】、
【図４８】、
【図４９】、
【図５０】、
【図５１】、
【図５２】、
【図５３】、
【図５４】、
【図５５】、
【図５６】、
【図５７】動的なアニメーションを用いて、第３の実施形態の画面構成を順次表示する様子を説明するための図である。
【図５８】第３の実施形態における画面表示処理を示すフローチャートである。
【図５９】、
【図６０】、
【図６１】、
【図６２】、
【図６３】、
【図６４】、
【図６５】、
【図６６】、
【図６７】、
【図６８】、
【図６９】、
【図７０】、
【図７１】、
【図７２】、
【図７３】、
【図７４】、
【図７５】動的なアニメーションの順序が異なる第３の実施形態の変形例１における順次表示する様子を説明するための図である。
【図７６】第３の実施形態の変形例１における画面表示処理を示すフローチャートである。
【図７７】第３の実施形態の変形例２におけるコンテンツ表示画面の構成の一例を示す図である。
【図７８】、
【図７９】、
【図８０】、
【図８１】、
【図８２】、
【図８３】、
【図８４】、
【図８５】、
【図８６】動的なアニメーションを用いて、第３の実施形態の変形例２の画面構成を順次表示する様子を説明するための図である。
【図８７】第３の実施形態の変形例２における画面表示処理を示すフローチャートである。
【図８８】第３の実施形態の変形例３におけるコンテンツ表示画面の構成の一例を示す図である。
【図８９】第３の実施形態の変形例４におけるコンテンツ表示画面の構成の一例を示す図である。
【図１】
2008152584.tif 000003
【図２】
2008152584.tif 000004
【図３】
2008152584.tif 000005
【図４】
2008152584.tif 000006
【図５】
2008152584.tif 000007
【図６】
2008152584.tif 000008
【図７】
2008152584.tif 000009
【図８】
2008152584.tif 000010
【図９】
2008152584.tif 000011
【図１０】
2008152584.tif 000012
【図１１】
2008152584.tif 000013
【図１２】
2008152584.tif 000014
【図１３】
2008152584.tif 000015
【図１４】
2008152584.tif 000016
【図１５】
2008152584.tif 000017
【図１６】
2008152584.tif 000018
【図１７】
2008152584.tif 000019
【図１８】
2008152584.tif 000020
【図１９】
2008152584.tif 000021
【図２０】
2008152584.tif 000022
【図２１】
2008152584.tif 000023
【図２２】
2008152584.tif 000024
【図２３】
2008152584.tif 000025
【図２４】
2008152584.tif 000026
【図２５】
2008152584.tif 000027
【図２６】
2008152584.tif 000028
【図２７】
2008152584.tif 000029
【図２８】
2008152584.tif 000030
【図２９】
2008152584.tif 000031
【図３０】
2008152584.tif 000032
【図３１】
2008152584.tif 000033
【図３２】
2008152584.tif 000034
【図３３】
2008152584.tif 000035
【図３４】
2008152584.tif 000036
【図３５】
2008152584.tif 000037
【図３６】
2008152584.tif 000038
【図３７】
2008152584.tif 000039
【図３８】
2008152584.tif 000040
【図３９】
2008152584.tif 000041
【図４０】
2008152584.tif 000042
【図４１】
2008152584.tif 000043
【図４２】
2008152584.tif 000044
【図４３】
2008152584.tif 000045
【図４４】
2008152584.tif 000046
【図４５】
2008152584.tif 000047
【図４６】
2008152584.tif 000048
【図４７】
2008152584.tif 000049
【図４８】
2008152584.tif 000050
【図４９】
2008152584.tif 000051
【図５０】
2008152584.tif 000052
【図５１】
2008152584.tif 000053
【図５２】
2008152584.tif 000054
【図５３】
2008152584.tif 000055
【図５４】
2008152584.tif 000056
【図５５】
2008152584.tif 000057
【図５６】
2008152584.tif 000058
【図５７】
2008152584.tif 000059
【図５８】
2008152584.tif 000060
【図５９】
2008152584.tif 000061
【図６０】
2008152584.tif 000062
【図６１】
2008152584.tif 000063
【図６２】
2008152584.tif 000064
【図６３】
2008152584.tif 000065
【図６４】
2008152584.tif 000066
【図６５】
2008152584.tif 000067
【図６６】
2008152584.tif 000068
【図６７】
2008152584.tif 000069
【図６８】
2008152584.tif 000070
【図６９】
2008152584.tif 000071
【図７０】
2008152584.tif 000072
【図７１】
2008152584.tif 000073
【図７２】
2008152584.tif 000074
【図７３】
2008152584.tif 000075
【図７４】
2008152584.tif 000076
【図７５】
2008152584.tif 000077
【図７６】
2008152584.tif 000078
【図７７】
2008152584.tif 000079
【図７８】
2008152584.tif 000080
【図７９】
2008152584.tif 000081
【図８０】
2008152584.tif 000082
【図８１】
2008152584.tif 000083
【図８２】
2008152584.tif 000084
【図８３】
2008152584.tif 000085
【図８４】
2008152584.tif 000086
【図８５】
2008152584.tif 000087
【図８６】
2008152584.tif 000088
【図８７】
2008152584.tif 000089
【図８８】
2008152584.tif 000090
【図８９】
2008152584.tif 000091